(57)【要約】【課題】コントラストが高く視認性に優れた可視情報を記録可能な光記録媒体の提供。【解決手段】基板上に可視情報記録層を有する光記録媒体。前記可視情報記録層は所定の色素を含有する。レーザー光を照射して情報の記録および／または再生が可能な記録層を更に有し得る。前記光記録媒体の前記可視情報記録層への可視情報記録方法。前記可視情報を、前記記録層への情報の記録に用いるレーザー光と同じレーザー光を用いて記録する。【選択図】なし【特許請求の範囲】
【請求項１】
基板上に可視情報記録層を有する光記録媒体であって、
前記可視情報記録層は、下記一般式（Ｉ）で表される色素を含有することを特徴とする光記録媒体。
【化１】
2007283748.tif 000072
［一般式（Ｉ）中、Ａは置換もしくは無置換の複素環基、置換脂肪族基または置換もしくは無置換の炭素環基であり、Ｂは置換もしくは無置換の複素環基または置換もしくは無置換のアリール基である。］
【請求項２】
一般式（Ｉ）中、
【化２】
2007283748.tif 000073
で表される基は、下記式（Ａ−１）、（Ａ−２）、（Ａ−３）、（Ａ−４）、（Ａ−５）、（Ａ−６）、（Ａ−７）、（Ａ−８）、（Ａ−９）、（Ａ−１０）、または（Ａ−１１）で表される基である請求項１に記載の光記録媒体。
【化３】
2007283748.tif 000074
［上記において、Ｒ200〜Ｒ223は、は、各々独立に、水素原子または置換基であり、Ｒ200とＲ201、Ｒ204とＲ205、Ｒ207とＲ208は、互いに結合して環を形成してもよく、Ｑ1は、Ｑ1と隣接する２つの窒素原子とともに環を形成するに必要な非金属原子群を表し、Ｑ2は、Ｑ2と隣接する２つの窒素原子とともに環を形成するに必要な非金属原子群を表し、Ｑ4は、Ｑ4と隣接する２つの窒素原子とともに環を形成するに必要な非金属原子群を表し、Ｑ3は、Ｑ3と隣接する２つの炭素原子とともに環を形成するに必要な非金属原子群を表す。］
【請求項３】
前記置換基は、脂肪族基、アリール基、ヘテロ環基、アシル基、アシルアミノ基、脂肪族オキシ基、アリールオキシ基、脂肪族オキシカルボニル基、カルバモイル基、脂肪族スルホニル基、アリールスルホニル基、スルファモイル基、脂肪族スルホンアミド基、アリールスルホンアミド基、アミノ基、脂肪族アミノ基、アリールアミノ基、ヘテロ環アミノ基、カルバモイルアミノ基、スルファモイルアミノ基、ヒドロキシ基またはシアノ基である請求項２に記載の光記録媒体。
【請求項４】
一般式（Ｉ）中、
【化４】
2007283748.tif 000075
で表される基は、下記（Ｂ−１）、（Ｂ−２）、（Ｂ−３）、（Ｂ−４）、（Ｂ−５）、（Ｂ−６）、（Ｂ−７）、（Ｂ−８）または（Ｂ−９）で表される基である請求項１〜３のいずれか１項に記載の光記録媒体。
【化５】
2007283748.tif 000076
［上記において、Ｒ300〜Ｒ330は、各々独立に、水素原子または置換基であり、Ｒ300とＲ301、Ｒ301とＲ302、Ｒ302とＲ303、Ｒ303とＲ304、Ｒ305とＲ306、Ｒ306とＲ307、Ｒ307とＲ308、Ｒ309とＲ310、Ｒ310とＲ311、Ｒ313とＲ314、Ｒ319とＲ320、Ｒ321とＲ322は、互いに結合して環を形成してもよく、Ｑ13は、Ｑ13と隣接する２つの窒素原子とともに環を形成するに必要な非金属原子群を表し、Ｑ14は、Ｑ14と隣接する２つの窒素原子とともに環を形成するに必要な非金属原子群を表す。］
【請求項５】
前記置換基は、脂肪族基、アリール基、アシルオキシ基、アシルアミノ基、脂肪族オキシ基、脂肪族スルホニルオキシ基、アリールスルホニルオキシ基、脂肪族スルホンアミド基、アリールスルホンアミド基、アミノ基、脂肪族アミノ基、アリールアミノ基、脂肪族オキシカルボニルアミノ基、アリールオキシカルボニルアミノ基、ヘテロ環オキシカルボニルアミノ基、ヒドロキシ基、シアノ基、スルホ基、カルバモイルアミノ基またはスルファモイルアミノ基である請求項４に記載の光記録媒体。
【請求項６】
前記一般式（Ｉ）で表される色素は、下記一般式(100)で表される色素である請求項１に記載の光記録媒体。
【化６】
2007283748.tif 000077
[一般式(100)中、ＥＷＧ2は電子求引性基を表し、Ｒ21、Ｒ22、Ｒ23およびＲ24は、各々独立に、一価の置換基を表し、Ｒ25は水素原子または一価の置換基を表し、ｎ６およびｎ７は各々独立に０〜４の範囲の整数を表す。]
【請求項７】
前記一般式（Ｉ）で表される色素は、下記一般式(101)で表される色素である請求項１に記載の光記録媒体。
【化７】
2007283748.tif 000078
[一般式(101)中、Ｒ91は、水素原子または一価の置換基を表し、Ｒ93およびＲ94は、各々独立に置換もしくは無置換のアルキル基、置換もしくは無置換のアリール基、または置換もしくは無置換のへテロ環基を表し、Ｒ92は一価の置換基を表し、ｎ１５は０〜２の範囲の整数を表し、Ｚ1およびＺ2は、どちら一方が＝Ｎ−であり、他方が、＝Ｃ（Ｒ95）−を表し、Ｚ3およびＺ4は、各々独立に＝Ｎ−または、＝Ｃ（Ｒ96）−を表し、Ｒ95およびＲ96は、各々独立に水素原子または一価の置換基を表す。]
【請求項８】
前記一般式（Ｉ）で表される色素は、下記一般式(102)で表される色素である請求項１に記載の光記録媒体。
【化８】
2007283748.tif 000079
[一般式(102)中、Ｒ103およびＲ104は、各々独立に、置換もしくは無置換のアルキル基、置換もしくは無置換のアリール基、または置換もしくは無置換のへテロ環基を表し、Ｒ101およびＲ102は、各々独立に一価の置換基を表し、ｎ１６およびｎ１７は、各々独立に０〜４の範囲の整数を表す。]
【請求項９】
前記一般式（Ｉ）で表される色素は、下記一般式(103)で表される色素である請求項１に記載の光記録媒体。
【化９】
2007283748.tif 000080
[一般式(103)中、Ｒ221、Ｒ326、Ｒ327、Ｒ1001およびＲ1005は、各々独立に水素原子または置換基を表す。]
【請求項１０】
前記一般式（Ｉ）で表される色素は、下記一般式(104)で表される色素である請求項１に記載の光記録媒体。
【化１０】
2007283748.tif 000081
[一般式(104)中、Ｒ222、Ｒ223、Ｒ300、Ｒ1001およびＲ1005は、各々独立に水素原子または置換基を表し、Ｒ1007は置換基を表す。]
【請求項１１】
前記一般式（Ｉ）で表される色素は、下記一般式(105)で表される色素である請求項１に記載の光記録媒体。
【化１１】
2007283748.tif 000082
[一般式(105)中、Ｒ202、Ｒ300、Ｒ1001およびＲ1005は、各々独立に水素原子または置換基を表し、Ｒ1000およびＲ1007は、各々独立に置換基を表す。]
【請求項１２】
前記一般式（Ｉ）で表される色素は、下記一般式(106)で表される色素である請求項１に記載の光記録媒体。
【化１２】
2007283748.tif 000083
[一般式(106)中、Ｒ202、Ｒ300、Ｒ1001およびＲ1005は、各々独立に水素原子または置換基を表し、Ｒ1000およびＲ1007は、各々独立に置換基を表す。]
【請求項１３】
レーザー光を照射して情報の記録および／または再生が可能な記録層を更に有する、請求項１〜１２のいずれか１項に記載の光記録媒体。
【請求項１４】
第一基板、前記記録層、反射層、前記可視情報記録層、および第二基板をこの順に有する、請求項１３に記載の光記録媒体。
【請求項１５】
前記光記録媒体はディスク状である請求項１〜１４のいずれか１項に記載の光記録媒体。
【請求項１６】
請求項１３〜１５のいずれか１項に記載の光記録媒体の前記可視情報記録層への可視情報記録方法であって、
前記可視情報を、前記記録層への情報の記録に用いるレーザー光と同じレーザー光を用いて記録することを特徴とする可視情報記録方法。
【請求項１７】
請求項１５に記載の光記録媒体の前記可視情報記録層への可視情報記録方法であって、
前記可視情報を、前記光記録媒体の半径方向に遥動し且つ略同一の軌跡に複数回照射されるレーザー光を用いて記録することを特徴とする可視情報記録方法。
【発明の詳細な説明】
【技術分野】
【０００１】
本発明は、光記録媒体に関し、特に、音楽データ等を記録するための記録層と記録されたデータを識別するための可視情報を記録するための可視情報記録層を有する光記録媒体に関する。更に、本発明は、前記光記録媒体への可視情報記録方法に関する。
【背景技術】
【０００２】
従来より、レーザー光により一回限りの情報の記録が可能な光情報記録媒体（光ディスク）が知られている。この光ディスクとしては、追記型ＣＤ（所謂ＣＤ−Ｒ）、追記型デジタル・ヴァサタイル・ディスク（所謂ＤＶＤ−Ｒ）がある。
【０００３】
ところで、前記光ディスクには、音楽データ等が記録される記録面とは反対側の面に、記録面に記録した音楽データの楽曲タイトルや、記録したデータを識別するためのタイトル等の可視情報を印刷したラベルを貼付したものが知られている。このような光ディスクは、プリンター等によって円形のラベルシート上にタイトル等を予め印刷し、当該ラベルシートを光ディスクの記録面とは反対側の面に貼付することにより作製される。
【０００４】
しかし、上述のようにタイトル等の所望の可視画像をレーベル面に記録した光ディスクを作製する場合には、光ディスクドライブとは別にプリンターが必要となる。従って、光ディスクドライブを用いて、ある光ディスクの記録面に記録を行った後、該光ディスクを光ディスクドライブから取り出して、別途用意したプリンターによって印刷されたラベルシートを貼付するなどといった煩雑な作業を行う必要がある。
【０００５】
そこで、前記記録面と反対側の面にレーザーマーカーを使用して表面と背景のコントラストを変化させて表示をさせることができる光記録媒体が提案されている（例えば、特許文献１参照）。このような方法を用いることで、プリンター等を別途用意することなく、光ディスクドライブによって光ディスクのレーベル面に所望の画像記録を行うことができる。しかしながら、この方法では、感度が低く、炭酸ガスレーザーなどの高パワーのガスレーザーを使用せざるを得ず、前述のようなレーザー光により形成された可視画像は、コントラストが低く視認性に劣っていた。更に、画像形成用の色素を用いて塗布用インクを作製する場合に、色素がインク溶剤に対して十分な溶解度を有していないという問題や、長時間経過すると、画像形成層中の色素が結晶化するという問題もあった。
【特許文献１】特開平１１−６６６１７号公報
【発明の開示】
【発明が解決しようとする課題】
【０００６】
かかる状況下、本発明の目的は、コントラストが高く視認性に優れた可視情報を記録可能な光記録媒体、特に、記録層への情報の記録に使用するレーザー光と同じレーザー光により、コントラストが高く視認性に優れた可視情報を記録可能な光記録媒体を提供することにある。
【０００７】
本発明者らは、上記目的を達成するために鋭意検討を重ねた結果、光記録媒体における可視情報記録層において所定の色素を使用することにより、コントラストが高く視認性に優れた可視情報を形成し得ることを見出し、本発明を完成するに至った。
即ち、上記目的を達成する手段は、以下の通りである。
［１］基板上に可視情報記録層を有する光記録媒体であって、
前記可視情報記録層は、下記一般式（Ｉ）で表される色素を含有することを特徴とする光記録媒体。
【化１】
2007283748.tif 000002
［一般式（Ｉ）中、Ａは置換もしくは無置換の複素環基、置換脂肪族基または置換もしくは無置換の炭素環基であり、Ｂは置換もしくは無置換の複素環基または置換もしくは無置換のアリール基である。］
［２］一般式（Ｉ）中、
【化２】
2007283748.tif 000003
で表される基は、下記式（Ａ−１）、（Ａ−２）、（Ａ−３）、（Ａ−４）、（Ａ−５）、（Ａ−６）、（Ａ−７）、（Ａ−８）、（Ａ−９）、（Ａ−１０）、または（Ａ−１１）で表される基である［１］に記載の光記録媒体。
【化３】
2007283748.tif 000004
［上記において、Ｒ200〜Ｒ223は、は、各々独立に、水素原子または置換基であり、Ｒ200とＲ201、Ｒ204とＲ205、Ｒ207とＲ208は、互いに結合して環を形成してもよく、Ｑ1は、Ｑ1と隣接する２つの窒素原子とともに環を形成するに必要な非金属原子群を表し、Ｑ2は、Ｑ2と隣接する２つの窒素原子とともに環を形成するに必要な非金属原子群を表し、Ｑ4は、Ｑ4と隣接する２つの窒素原子とともに環を形成するに必要な非金属原子群を表し、Ｑ3は、Ｑ3と隣接する２つの炭素原子とともに環を形成するに必要な非金属原子群を表す。］
[３]前記置換基は、脂肪族基、アリール基、ヘテロ環基、アシル基、アシルアミノ基、脂肪族オキシ基、アリールオキシ基、脂肪族オキシカルボニル基、カルバモイル基、脂肪族スルホニル基、アリールスルホニル基、スルファモイル基、脂肪族スルホンアミド基、アリールスルホンアミド基、アミノ基、脂肪族アミノ基、アリールアミノ基、ヘテロ環アミノ基、カルバモイルアミノ基、スルファモイルアミノ基、ヒドロキシ基またはシアノ基である[２]に記載の光記録媒体。
[４]一般式（Ｉ）中、
【化４】
2007283748.tif 000005
で表される基は、下記（Ｂ−１）、（Ｂ−２）、（Ｂ−３）、（Ｂ−４）、（Ｂ−５）、（Ｂ−６）、（Ｂ−７）、（Ｂ−８）または（Ｂ−９）で表される基である[１]〜[３]のいずれかに記載の光記録媒体。
【化５】
2007283748.tif 000006
［上記において、Ｒ300〜Ｒ330は、各々独立に、水素原子または置換基であり、Ｒ300とＲ301、Ｒ301とＲ302、Ｒ302とＲ303、Ｒ303とＲ304、Ｒ305とＲ306、Ｒ306とＲ307、Ｒ307とＲ308、Ｒ309とＲ310、Ｒ310とＲ311、Ｒ313とＲ314、Ｒ319とＲ320、Ｒ321とＲ322は、互いに結合して環を形成してもよく、Ｑ13は、Ｑ13と隣接する２つの窒素原子とともに環を形成するに必要な非金属原子群を表し、Ｑ14は、Ｑ14と隣接する２つの窒素原子とともに環を形成するに必要な非金属原子群を表す。］
[５]前記置換基は、脂肪族基、アリール基、アシルオキシ基、アシルアミノ基、脂肪族オキシ基、脂肪族スルホニルオキシ基、アリールスルホニルオキシ基、脂肪族スルホンアミド基、アリールスルホンアミド基、アミノ基、脂肪族アミノ基、アリールアミノ基、脂肪族オキシカルボニルアミノ基、アリールオキシカルボニルアミノ基、ヘテロ環オキシカルボニルアミノ基、ヒドロキシ基、シアノ基、スルホ基、カルバモイルアミノ基またはスルファモイルアミノ基である[４]に記載の光記録媒体。
[６]前記一般式（Ｉ）で表される色素は、下記一般式(100)で表される色素である[１]に記載の光記録媒体。
【化６】
2007283748.tif 000007
[一般式(100)中、ＥＷＧ2は電子求引性基を表し、Ｒ21、Ｒ22、Ｒ23およびＲ24は、各々独立に、一価の置換基を表し、Ｒ25は水素原子または一価の置換基を表し、ｎ６およびｎ７は各々独立に０〜４の範囲の整数を表す。]
[７]前記一般式（Ｉ）で表される色素は、下記一般式(101)で表される色素である[１]に記載の光記録媒体。
【化７】
2007283748.tif 000008
[一般式(101)中、Ｒ91は、水素原子または一価の置換基を表し、Ｒ93およびＲ94は、各々独立に置換もしくは無置換のアルキル基、置換もしくは無置換のアリール基、または置換もしくは無置換のへテロ環基を表し、Ｒ92は一価の置換基を表し、ｎ１５は０〜２の範囲の整数を表し、Ｚ1およびＺ2は、どちら一方が＝Ｎ−であり、他方が、＝Ｃ（Ｒ95）−を表し、Ｚ3およびＺ4は、各々独立に＝Ｎ−または、＝Ｃ（Ｒ96）−を表し、Ｒ95およびＲ96は、各々独立に水素原子または一価の置換基を表す。]
[８]前記一般式（Ｉ）で表される色素は、下記一般式(101)で表される色素である[１]に記載の光記録媒体。
【化８】
2007283748.tif 000009
[一般式(102)中、Ｒ103およびＲ104は、各々独立に、置換もしくは無置換のアルキル基、置換もしくは無置換のアリール基、または置換もしくは無置換のへテロ環基を表し、Ｒ101およびＲ102は、各々独立に一価の置換基を表し、ｎ１６およびｎ１７は、各々独立に０〜４の範囲の整数を表す。]
[９]前記一般式（Ｉ）で表される色素は、下記一般式(103)で表される色素である[１]に記載の光記録媒体。
【化９】
2007283748.tif 000010
[一般式(103)中、Ｒ221、Ｒ326、Ｒ327、Ｒ1001およびＲ1005は、各々独立に水素原子または置換基を表す。]
[１０]前記一般式（Ｉ）で表される色素は、下記一般式(104)で表される色素である[１]に記載の光記録媒体。
【化１０】
2007283748.tif 000011
[一般式(104)中、Ｒ222、Ｒ223、Ｒ300、Ｒ1001およびＲ1005は、各々独立に水素原子または置換基を表し、Ｒ1007は置換基を表す。]
[１１]前記一般式（Ｉ）で表される色素は、下記一般式(105)で表される色素である[１]に記載の光記録媒体。
【化１１】
2007283748.tif 000012
[一般式(105)中、Ｒ202、Ｒ300、Ｒ1001およびＲ1005は、各々独立に水素原子または置換基を表し、Ｒ1000およびＲ1007は、各々独立に置換基を表す。]
[１２]前記一般式（Ｉ）で表される色素は、下記一般式(106)で表される色素である[１]に記載の光記録媒体。
【化１２】
2007283748.tif 000013
[一般式(106)中、Ｒ202、Ｒ300、Ｒ1001およびＲ1005は、各々独立に水素原子または置換基を表し、Ｒ1000およびＲ1007は、各々独立に置換基を表す。]
[１３]レーザー光を照射して情報の記録および／または再生が可能な記録層を更に有する、[１]〜[１２]のいずれかに記載の光記録媒体。
[１４]第一基板、前記記録層、反射層、前記可視情報記録層、および第二基板をこの順に有する、[１３]に記載の光記録媒体。
[１５]前記光記録媒体はディスク状である[１]〜[１４]のいずれかに記載の光記録媒体。
[１６][１３]〜[１５]のいずれかに記載の光記録媒体の前記可視情報記録層への可視情報記録方法であって、
前記可視情報を、前記記録層への情報の記録に用いるレーザー光と同じレーザー光を用いて記録することを特徴とする可視情報記録方法。
[１７][１５]に記載の光記録媒体の前記可視情報記録層への可視情報記録方法であって、
前記可視情報を、前記光記録媒体の半径方向に遥動し且つ略同一の軌跡に複数回照射されるレーザー光を用いて記録することを特徴とする可視情報記録方法。
【発明の効果】
【０００８】
本発明によれば、コントラストが高く視認性に優れた可視情報を記録可能な光記録媒体を提供することができる。また、本発明において使用される色素は、溶剤に対する十分な溶解性を有するため、光記録媒体の作製が容易である。更に、前記色素を含む可視情報記録層は経時安定性に優れるため、保存性に優れた光記録媒体を提供することができる。更に、前記色素は、通常のデジタルデータ記録とは異なる新たな記録方式によって画像を形成するシステムに好適であり、前記システムにおいて、コントラストが高く鮮明で、かつ耐光性に優れた可視情報を形成することができる。
【発明を実施するための最良の形態】
【０００９】
本発明の光記録媒体は、基板上に可視情報記録層を有する光記録媒体であって、前記可視情報記録層に、下記一般式（Ｉ）で表される色素を含有するものである。
【化１３】
2007283748.tif 000014
［一般式（Ｉ）中、Ａは置換もしくは無置換の複素環基、置換脂肪族基または置換もしくは無置換の炭素環基であり、Ｂは置換もしくは無置換の複素環基または置換もしくは無置換のアリール基である。］
以下に、一般式（Ｉ）で表される色素の詳細を説明する。なお、以下において、
【化１４】
2007283748.tif 000015
を「Ａ部」ともいい、
【化１５】
2007283748.tif 000016
を「Ｂ部」ともいう。
【００１０】
一般式（Ｉ）中、Ａで表される複素環基としては、無置換であっても置換されていてもよく、縮環していてもよく、５員ないし７員環の総炭素数２〜３０の置換または無置換の複素環基が好ましい。その中でも、Ａで表される複素環基としては、シアニン色素、オキソノール色素の技術分野で酸性核と呼ばれている複素環が好ましい。酸性核については、Ｊａｍｅｓ編、Ｔｈｅ  Ｔｈｅｏｒｙ  ｏｆ  ｔｈｅ  Ｐｈｏｔｏｇｒａｐｈｉｃ  Ｐｒｏｃｅｓｓ（第４版、マクミラン社、１９７７年、第１９８頁）に記載されている。具体的には、各々、置換されてもいてもよいピラゾール−５−オン、ピラゾリジン−３，５−ジオン、イミダゾリン−５−オン、ヒダントイン、２−または４−チオヒダントイン、２−イミノオキサゾリジン−４−オン、２−オキサゾリン−５−オン、２−チオオキサゾリン−２，４−ジオン、イソローダニン、ローダニン、チオフェン−３−オン、チオフェン−３−オン−１，１−ジオキシド、インドリン−２−オン、インドリン−３−オン、２−オキソインダゾリウム、５，７−ジオキソ−６，７−ジヒドロチアゾロ〔３，２−ａ〕ピリミジン、３，４−ジヒドロイソキノリン−４−オン、１，３−ジオキサン−４，６−ジオン（例えばメルドラム酸など）、バルビツール酸、２−チオバルビツール酸、クマリン−２，４−ジオン、インダゾリン−２−オン、ピリド［１，２−ａ］ピリミジン−１，３−ジオン、ピラゾロ〔１，５−ｂ〕キナゾロン、ピラゾロピリドン、５員又は６員の炭素環（例えば、ヘキサン−１，３−ジオン、ペンタン−１，３−ジオン、インダン−１，３−ジオン）などの核が挙げられ、好ましくは、ピラゾール−５−オン、バルビツール酸、２−チオバルビツール酸、１，３−ジオキサン−４，６−ジオンを挙げることができる。
【００１１】
更に、Ａで表される複素環基としては、銀塩写真の技術分野において、カラーカプラーといわれる化合物の残基を挙げることもできる。カラーカプラーとしては、例えば、ピラゾロン類、１H-イミダゾ〔１,２−ｂ〕ピラゾール類、１H-ピラゾロ〔５,１−C〕〔１，２，４〕トリアゾール類、１H-ピラゾロ〔１,５−b〕〔１，２，４〕トリアゾール類等が挙げられる。
【００１２】
Ａで表される置換脂肪族基における脂肪族基としては、直鎖、分岐鎖または環状で飽和であっても不飽和であっても良く、例えばアルキル基、アルケニル基、シクロアルキル基、シクロアルケニル基を表し、炭素原子に＝Ｎが置換できるものであれば良い。具体例としては、例えばアセチルアセトン、ピバロイルアセトアニリドのメチレン基等を挙げることができる。
【００１３】
Ａで表される炭素環基は、無置換であっても置換されていてもよく、飽和であっても不飽和であってもよい。前記炭素環基は、好ましくは５〜７員環である。
【００１４】
Ａが、置換複素環基、置換脂肪族基または置換炭素環基である場合の置換基としては置換可能な基であればよく、後述する置換基の項で列挙する置換基と同様の基を挙げることができる。好ましくは、ヘテロ環基、アシル基、アシルオキシ基、アシルアミノ基、脂肪族オキシ基、アリールオキシ基、ヘテロ環オキシ基、脂肪族オキシカルボニル基、アリールオキシカルボニル基、ヘテロ環オキシカルボニル基、カルバモイル基、脂肪族スルホニル基、アリールスルホニル基、ヘテロ環スルホニル基、脂肪族スルホニルオキシ基、アリールスルホニルオキシ基、ヘテロ環スルホニルオキシ基、スルファモイル基、脂肪族スルホンアミド基、アリールスルホンアミド基、ヘテロ環スルホンアミド基、脂肪族オキシカルボニルアミノ基、アリールオキシカルボニルアミノ基、ヘテロ環オキシカルボニルアミノ基、脂肪族スルフィニル基、アリールスルフィニル基、ヒドロキシ基、シアノ基、カルボキシル基、スルファモイルアミノ基、ハロゲン原子、スルファモイルカルバモイル基、カルバモイルスルファモイル基等である。
【００１５】
Ａ部として好ましい基としては、下記式（Ａ−１）〜（Ａ−１１）で表される基を挙げることができる。なお、以下において、Ｒ1000は、置換基であり、Ｒ1001およびＲ1002は、各々独立に、水素原子または置換基である。置換基としては、後述する各種置換基を挙げることができる。
【００１６】
【化１６】
2007283748.tif 000017
【００１７】
上記において、Ｒ200〜Ｒ223は、は、各々独立に、水素原子または置換基である。Ｒ200とＲ201、Ｒ204とＲ205、Ｒ207とＲ208は、互いに結合して環を形成してもよい。形成される環としては、５〜７員環が好ましい。
前記置換基は、置換可能な基であればよく、更に置換基を有していてもよく、例えば、ハロゲン原子（例えばフッ素、塩素、臭素、好ましくは塩素）、脂肪族基（好ましくは総炭素数1〜12のアルキル基であって、例えばメチル基、エチル基、(i)プロピル基、(t)ブチル基、オクチル基、メトキシプロピル基等）、アリール基（好ましくは総炭素数６〜16であって、例えばフェニル基、1-ナフチル基、４−メトキシフェニル基等）、ヘテロ環基（好ましくは総炭素数１〜１２の飽和であっても不飽和でも良く、例えば2-イミダゾリル基、1-ピラゾリル基等）、アシル基（好ましくは総炭素数２〜１２であって、例えばアセチル基、ピバロイル基、ベンゾイル基、メトキシアセチル基等）、アシルオキシ基（好ましくは総炭素数２〜１２であって、例えばアセチルオキシ基、ピバロイルオキシ基、ベンゾイルオキシ基等）、アシルアミノ基（好ましくは総炭素数２〜１２であって、例えばアセチルアミノ基、ベンゾイルアミノ基、２−エチルヘキサノイルアミノ基、４−エトキシベンゾイル基）、脂肪族オキシ基（好ましくは総炭素数１〜１２のアルコキシ基、アルケニルオキシ基であって、例えばメトキシ基、ブトキシ基、(s)ブトキシ基、アリルオキシ基、２−ブトキシエトキシ基）、アリールオキシ基（好ましくは総炭素数６〜１６であって例えばフェノキシ基、１−ナフチルオキシ基、２−メトキシフェノキシ基）、ヘテロ環オキシ基（好ましくは総炭素数１〜１２の飽和であっても不飽和であっても良く、例えば２−ピリジルオキシ基、３−ピリジルオキシ基、５−ピラゾリルオキシ基）、脂肪族オキシカルボニル基（好ましくは総炭素数２〜１２であって、例えばメトキシカルボニル基、ブトキシカルボニル基、２−エトキシカルボニル基）、アリールオキシカルボニル基（好ましくは総炭素数６〜１６であって、例えばフェノキシカルボニル基）、ヘテロ環オキシカルボニル基（好ましくは総炭素数２〜１２の飽和であっても不飽和であっても良く、例えば２−ピリジルオキシカルボニル基、５−ピラゾリルオキシカルボニル基）、カルバモイル基（好ましくは総炭素数1〜１２であって、例えばＮ，Ｎ-ジメチルカルバモイル基、Ｎ，Ｎ-ジメトキシエトキシカルバモイル基）、脂肪族スルホニル基（好ましくは総炭素数１〜１２のアルキルスルホニル基であって、例えば、メタンスルホニル基、２−エチルヘキシルスルホニル基）、アリールスルホニル基（好ましくは総炭素数６〜１６であって、例えばベンゼンスルホニル基、４−エトキシベンゼンスルホニル基）、ヘテロ環スルホニル基（好ましくは総炭素数１〜１２の飽和であっても不飽和であっても良く例えば４−ピリジンスルホニル基）、脂肪族スルホニルオキシ基（好ましくは総炭素数１〜１２のアルキルスルホニルオキシ基であって、例えば、メタンスルホニルオキシ基、２−エチルヘキシルスルホニルオキシ基）、アリールスルホニルオキシ基（好ましくは総炭素数６〜１６であって、例えばベンゼンスルホニルオキシ基、４−エトキシベンゼンスルホニルオキシ基）、ヘテロ環スルホニルオキシ基（好ましくは総炭素数１〜１２の飽和であっても不飽和であっても良く例えば４−ピリジンスルホニルオキシ基）、スルファモイル基（好ましくは総炭素数０〜１２���あって、例えばＮ，Ｎ-ジメチルスルファモイル基、Ｎ，Ｎ-ジメトキシエトキシスルファモイル基）、脂肪族スルホンアミド基（好ましくは総炭素数１〜１２のアルキルスルホンアミド基であって、例えばメタンスルホンアミド基、ブタンスルホンアミド基）、アリールスルホンアミド基（好ましくは総炭素数６〜１６であって、例えばベンゼンスルホンアミド基、３−ブトキシベンゼンスルホンアミド基）、ヘテロ環スルホンアミド基（好ましくは総炭素数１〜１２の飽和であっても不飽和であっても良く、例えば３−ピリジンスルホンアミド基）、アミノ基、脂肪族アミノ基（好ましくは総炭素数1〜１２のアルキルアミノ基、アルケニルアミノ基であって、例えばジメチルアミノ基、ジ２エチルヘキシルアミノ基）、アリールアミノ基（好ましくは総炭素数６〜１６であって、例えばアニリノ基、２，４−ジクロロアニリノ基）、ヘテロ環アミノ基（好ましくは総炭素数１〜１２の飽和であっても不飽和であっても良く、２−ピリジルアミノ基、１−モルホリニルアミノ基）、脂肪族オキシカルボニルアミノ基（好ましくは総炭素数２〜１２のアルコキシカルボニルアミノ基であって、例えばメトキシカルボニルアミノ基、ブトキシカルボニルアミノ基、２−メトキシエトキシカルボニルアミノ基）、アリールオキシカルボニルアミノ基（好ましくは炭素数７〜１７であって、例えばフェノキシカルボニルアミノ基）、ヘテロ環オキシカルボニルアミノ基（好ましくは総炭素数２〜１２の飽和であっても不飽和であっても良く、例えば２−ピリジルオキシカルボニルアミノ基）、脂肪族スルフィニル基（好ましくは総炭素数１〜１２のアルキルスルフィニル基であって、例えばメタンスルフィニル基、ブタンスルフィニル基）、アリールスルフィニル基（好ましくは総炭素数６〜１６であって、ベンゼンスルフィニル基、４−メトキシベンゼンスルフィニル基）、脂肪族チオ基（好ましくは総炭素数１〜１２のアルキルチオ基であって、例えばブチルチオ基、オクチルチオ基、２−エトキシエチルチオ基）、アリールチオ基（好ましくは総炭素数６〜１６であって、フェニルチオ基、４−メトキシフェニルチオ基）、ヒドロキシ基、シアノ基、スルホ基、カルボキシル基、脂肪族オキシアミノ基（好ましくは総炭素数１〜１２のアルコキシアミノ基であって、例えばメトキシアミノ基）、アリールオキシアミノ基（好ましくは総炭素数６〜１６であって、例えばフェノキシアミノ基）、カルバモイルアミノ基（好ましくは総炭素数１〜１２であって例えばジメチルカルバモイルアミノ基、ジメトキシエトキシカルバモイルアミノ基）、スルファモイルアミノ基（好ましくは総炭素数０〜１２であって例えばジメチルスルファモイルアミノ基、ジメトキシエトキシスルファモイルアミノ基）、スルファモイルカルバモイル基（好ましくは総炭素数１〜１２であって、例えばＮ，Ｎ-ジメチルスルファモイルカルバモイル基）、カルバモイルスルファモイル基（好ましくは総炭素数１〜１２であって、例えばＮ，Ｎ-ジブチルカルバモイルスルファモイル基）、ジ脂肪族オキシフォスフィニル基（好ましくは総炭素数２〜１２のアルコキシフォスフィニル基であって、例えばジエトキシフォスフィニル基）等を挙げることができる。置��基は一般式（Ｉ）の色素が２量体、３量体等の多量体を形成する場合は、２価以上であっても良い。好ましい置換基としては、脂肪族基、アリール基、ヘテロ環基、アシル基、アシルアミノ基、脂肪族オキシ基、アリールオキシ基、脂肪族オキシカルボニル基、カルバモイル基、脂肪族スルホニル基、アリールスルホニル基、スルファモイル基、脂肪族スルホンアミド基、アリールスルホンアミド基、アミノ基、脂肪族アミノ基、アリールアミノ基、ヘテロ環アミノ基、カルバモイルアミノ基、スルファモイルアミノ基、ヒドロキシ基、シアノ基を挙げることができる。
【００１８】
前記Ｑ1は、Ｑ1と隣接する２つの窒素原子とともに環を形成するに必要な非金属原子群を表し、前記Ｑ2は、Ｑ2と隣接する２つの窒素原子とともに環を形成するに必要な非金属原子群を表し、前記Ｑ4は、Ｑ4と隣接する２つの窒素原子とともに環を形成するに必要な非金属原子群を表し、Ｑ3は、Ｑ3と隣接する２つの炭素原子とともに環を形成するに必要な非金属原子群を表す。形成される環は、５〜７員環であることが好ましい。
【００１９】
以下に、式（Ａ−１）〜（Ａ−１１）で表される基の詳細を順次説明する。
【００２０】
（Ａ−１）
式（Ａ−１）中、Ｒ200は、好ましくは、水素原子、脂肪族基、アリール基、ヘテロ環基、アシル基、アシルアミノ基、脂肪族オキシ基、脂肪族スルホンアミド基、アリールスルホンアミド基、ハロゲン原子、カルバモイルアミノ基、スルファモイルアミノ基、ヒドロキシ基、シアノ基であり、さらに好ましくは、脂肪族基、アシルアミノ基、脂肪族スルホンアミド基、アリールスルホンアミド基、カルバモイルアミノ基、スルファモイルアミノ基であり、最も好ましくは  脂肪族基、アシルアミノ基、カルバモイルアミノ基である。
【００２１】
Ｒ201は、好ましくは、水素原子、脂肪族基、アシルアミノ基、脂肪族スルホンアミド基、アリールスルホンアミド基、ハロゲン原子、カルバモイルアミノ基、スルファモイルアミノ基、シアノ基であり、さらに好ましくは、水素原子、脂肪族基、ハロゲン原子、アシルアミノ基である。
【００２２】
Ｒ200とＲ201が結合して形成する環は、５〜７員環であることが好ましく、５もしくは６員のヘテロ環、または６員のアリールであることが更に好ましい。
【００２３】
Ｒ202は、好ましくは水素原子、脂肪族基、ヘテロ環基、アシル基、アシルアミノ基、脂肪族オキシ基、脂肪族オキシカルボニル基、カルバモイル基、スルファモイル基、脂肪族スルホンアミド基、アリールスルホンアミド基、アミノ基、脂肪族アミノ基、アリールアミノ基、カルバモイルアミノ基、スルファモイルアミノ基、シアノ基であり、さらに好ましくは、ヘテロ環基、アシル基、アシルアミノ基、脂肪族オキシカルボニル基、カルバモイル基、スルファモイル基、脂肪族スルホンアミド基、アリールスルホンアミド基、カルバモイルアミノ基、スルファモイルアミノ基であり、最も好ましくはヘテロ環基、アシルアミノ基、脂肪族オキシカルボニル基、カルバモイル基、カルバモイルアミノ基、スルファモイル基である。
【００２４】
Ｒ203は、好ましくは水素原子、脂肪族基、アシルアミノ基、ハロゲン原子であり、更に好ましくは水素原子である。
【００２５】
式（Ａ−１）で表される基は、好ましくは、下記（ＡＡ−1０）〜（ＡＡ−１９）であり、より好ましくは、（ＡＡ−1０）、（ＡＡ−１１）、（ＡＡ−１２）、（ＡＡ−1３）、（ＡＡ−１４）、(ＡＡ−１７)であり、更に好ましくは、（ＡＡ−１０）、（ＡＡ−１１）、（ＡＡ−１３）、（ＡＡ−１４）、(ＡＡ−１７)である。
【化１７】
2007283748.tif 000018
【００２６】
（Ａ−２）
式（Ａ−２）中、Ｒ204は、好ましくは水素原子、脂肪族基、アリール基、ヘテロ環基、アシル基、アシルアミノ基、脂肪族オキシ基、脂肪族スルホンアミド基、アリールスルホンアミド基、ハロゲン原子、カルバモイルアミノ基、スルファモイルアミノ基、ヒドロキシ基、シアノ基であり、さらに好ましくは、脂肪族基、アシルアミノ基、脂肪族スルホンアミド基、アリールスルホンアミド基、カルバモイルアミノ基、スルファモイルアミノ基であり、最も好ましくは、脂肪族基、アシルアミノ基、カルバモイルアミノ基である。
Ｒ205は、好ましくは水素原子、脂肪族基、アシルアミノ基、脂肪族スルホンアミド基、アリールスルホンアミド基、ハロゲン原子、カルバモイルアミノ基、スルファモイルアミノ基、シアノ基であり、さらに好ましくは、水素原子、脂肪族基、ハロゲン原子、アシルアミノ基である。
【００２７】
Ｒ204とＲ205が結合して形成する環は、５〜７員環であることが好ましく、５もしくは６員のヘテロ環、または６員のアリールであることが更に好ましい。
【００２８】
Ｒ206は、好ましくは水素原子、脂肪族基、ヘテロ環基、アシル基、アシルアミノ基、脂肪族オキシ基、脂肪族オキシカルボニル基、カルバモイル基、スルファモイル基、脂肪族スルホンアミド基、アリールスルホンアミド基、アミノ基、脂肪族アミノ基、アリールアミノ基、カルバモイルアミノ基、スルファモイルアミノ基、シアノ基であり、さらに好ましくは  ヘテロ環基、アシル基、アシルアミノ基、脂肪族オキシカルボニル基、カルバモイル基、スルファモイル基、脂肪族スルホンアミド基、アリールスルホンアミド基、カルバモイルアミノ基、スルファモイルアミノ基であり、最も好ましくは、ヘテロ環基、アシル基、アシルアミノ基、脂肪族オキシカルボニル基、カルバモイル基、カルバモイルアミノ基、スルファモイルアミノ基である。
【００２９】
式（Ａ−２）で表される基は、好ましくは下記（Ａ−２０）〜（Ａ−２９）であり、より好ましくは、（Ａ−２０）、（Ａ−２１）、（Ａ−２４）、（Ａ−２７）であり、更に好ましくは、（Ａ−２０）、（Ａ−２１）である。
【化１８】
2007283748.tif 000019
【００３０】
（Ａ−３）
式（Ａ−３）中、Ｒ207は、好ましくは水素原子、脂肪族基、アリール基、ヘテロ環基、アシル基、アシルアミノ基、脂肪族オキシ基、脂肪族スルホンアミド基、アリールスルホンアミド基、ハロゲン原子、カルバモイルアミノ基、スルファモイルアミノ基、ヒドロキシ基、シアノ基であり、さらに好ましくは、水素原子、脂肪族基、アシルアミノ基、脂肪族スルホンアミド基、アリールスルホンアミド基、カルバモイルアミノ基、スルファモイルアミノ基であり、最も好ましくは水素原子、脂肪族基、アシルアミノ基、カルバモイルアミノ基である。
【００３１】
Ｒ208は、好ましくは脂肪族基、アシルアミノ基、脂肪族スルホンアミド基、アリールスルホンアミド基、ハロゲン原子、脂肪族オキシカルボニル基、カルバモイルアミノ基、スルファモイルアミノ基、シアノ基であり、さらに好ましくは、脂肪族基、ハロゲン原子、アシルアミノ基、カルバモイルアミノ基、ハロゲン原子、脂肪族オキシカルボニル基である。
【００３２】
Ｒ207とＲ208が結合して形成する環は、５〜７員環であることが好ましく、５もしくは６員のヘテロ環、または６員のアリールであることが更に好ましい。
【００３３】
Ｒ209は、好ましくは水素原子、脂肪族基、ヘテロ環基、アシル基、アシルアミノ基、脂肪族オキシ基、脂肪族オキシカルボニル基、カルバモイル基、スルファモイル基、脂肪族スルホンアミド基、アリールスルホンアミド基、アミノ基、脂肪族アミノ基、アリールアミノ基、カルバモイルアミノ基、スルファモイルアミノ基、シアノ基であり、さらに好ましくは  水素原子、ヘテロ環基、アシル基、アシルアミノ基、脂肪族オキシカルボニル基、カルバモイル基、脂肪族スルホンアミド基、アリールスルホンアミド基、カルバモイルアミノ基であり、最も好ましくは水素原子、ヘテロ環基、アシル基、アシルアミノ基、脂肪族オキシカルボニル基、カルバモイル基、カルバモイルアミノ基である。
【００３４】
式（Ａ−３）で表される基は、好ましくは、下記（Ａ−３０）〜（Ａ−３７）であり、より好ましくは、（Ａ−３０）、（Ａ−３２）、（Ａ−３５）であり、更に好ましくは、（Ａ−３０）である。
【化１９】
2007283748.tif 000020
【００３５】
（Ａ−４）
式（Ａ−４）中、Ｒ210は、好ましくは、水素原子、脂肪族基、ヘテロ環基、アシル基、アシルアミノ基、脂肪族オキシ基、脂肪族オキシカルボニル基、カルバモイル基、スルファモイル基、脂肪族スルホンアミド基、アリールスルホンアミド基、アミノ基、脂肪族アミノ基、アリールアミノ基、カルバモイルアミノ基、スルファモイルアミノ基、シアノ基であり、さらに好ましくは、ヘテロ環基、アシル基、アシルアミノ基、脂肪族オキシカルボニル基、カルバモイル基、スルファモイル基、脂肪族スルホンアミド基、アリールスルホンアミド基、カルバモイルアミノ基、スルファモイルアミノ基であり、最も好ましくはヘテロ環基、アシルアミノ基、脂肪族オキシカルボニル基、カルバモイル基、カルバモイルアミノ基である。
【００３６】
Ｒ211は、好ましくは、水素原子、脂肪族基、アリール基、ヘテロ環基、アシル基、アシルアミノ基、脂肪族オキシ基、脂肪族スルホンアミド基、アリールスルホンアミド基、ハロゲン原子、カルバモイルアミノ基、スルファモイルアミノ基、ヒドロキシ基、シアノ基であり、さらに好ましくは、脂肪族基、アシルアミノ基、脂肪族スルホンアミド基、アリールスルホンアミド基、カルバモイルアミノ基、スルファモイルアミノ基であり、最も好ましくは、アシルアミノ基、カルバモイルアミノ基である。
【００３７】
（Ａ−５）
式（Ａ−５）中、Ｒ212は、好ましくは水素原子、脂肪族基、アリール基、ヘテロ環基、アシル基、アシルアミノ基、脂肪族オキシ基、脂肪族スルホンアミド基、アリールスルホンアミド基、ハロゲン原子、カルバモイルアミノ基、スルファモイルアミノ基、ヒドロキシ基、シアノ基であり、さらに好ましくは、脂肪族基、アシルアミノ基、脂肪族スルホンアミド基、アリールスルホンアミド基、カルバモイルアミノ基、スルファモイルアミノ基であり、最も好ましくは、脂肪族基、アシルアミノ基、カルバモイルアミノ基である。
【００３８】
Ｒ213は、好ましくは水素原子、脂肪族基、アシルアミノ基、ハロゲン原子であり、更に好ましくは水素原子である。
【００３９】
（Ａ−６）
式（Ａ−６）中、Ｒ214は、好ましくは、脂肪族基、アリール基、ヘテロ環基、アシルアミノ基、脂肪族オキシカルボニル基、脂肪族スルホンアミド基、アリールスルホンアミド基、アミノ基、脂肪族アミノ基、アリールアミノ基、ヘテロ環アミノ基であり、更に好ましくは、脂肪族基、アリール基、ヘテロ環基、アシルアミノ基、脂肪族オキシ基、脂肪族アミノ基、アリールアミノ基、ヘテロ環アミノ基である。
【００４０】
Ｒ215は、好ましくは、脂肪族基、アリール基、ヘテロ環基、アシル基、脂肪族オキシカルボニル基、カルバモイル基、スルファモイル基、シアノ基であり、更に好ましくは、ヘテロ環基、アシル基、脂肪族オキシカルボニル基、カルバモイル基、シアノ基である。
【００４１】
式（Ａ−６）で表される基は、好ましくは、下記(Ａ-６０)、(Ａ−６１)であり、（Ａ−６０）が更に好ましい。
【化２０】
2007283748.tif 000021
【００４２】
（Ａ−７）
式（Ａ−７）中、Ｒ216は、好ましくは、脂肪族基、アリール基、アシル基であり、更に好ましくは脂肪族基である。
【００４３】
Ｒ217は、好ましくは、脂肪族基、アリール基、ヘテロ環基、アシル基、脂肪族オキシカルボニル基、カルバモイル基、スルファモイル基、シアノ基であり、更に好ましくは、ヘテロ環基、アシル基、脂肪族オキシカルボニル基、カルバモイル基、シアノ基である。
【００４４】
Ｑ1と隣接する２つの窒素原子によって形成される環は、５〜７員環であることが好ましく、５または６員環であることが好ましい。その具体例としては、例えば１，２，４−チアジアジン−１，１−ジオキシド環が挙げられる。
【００４５】
式（Ａ−７）で表される基は、好ましくは、下記（Ａ−７０）〜（Ａ−７３）であり、より好ましくは、（Ａ−７２）、（Ａ−７３）であり、更に好ましくは、（Ａ−７２）である。
【化２１】
2007283748.tif 000022
【００４６】
（Ａ−８）
式（Ａ−８）中、Ｒ218は、好ましくは脂肪族基、アリール基、ヘテロ環基、アシル基、アシルアミノ基、脂肪族オキシ基、脂肪族オキシカルボニル基、カルバモイル基、脂肪族アミノ基、アリールアミノ基、ヘテロ環アミノ基、カルバモイルアミノ基、スルファモイルアミノ基、ヒドロキシ基、シアノ基であり、更に好ましくは脂肪族基、ヘテロ環基、アシル基、アシルアミノ基、脂肪族オキシカルボニル基、カルバモイル基、アリールアミノ基、ヘテロ環アミノ基、カルバモイルアミノ基、シアノ基であり、最も好ましくは  アシルアミノ基、脂肪族オキシカルボニル基、カルバモイル基、アリールアミノ基、カルバモイルアミノ基、シアノ基である。
【００４７】
Ｒ219は、好ましくは  脂肪族基、アリール基、ヘテロ環基、アシル基、脂肪族オキシカルボニル基、カルバモイル基であり、更に好ましくは脂肪族基、アリール基、ヘテロ環基であり、最も好ましくはアリール基である。
【００４８】
Ｒ220は、好ましくは、酸素原子、＝Ｎ−Ｒ’（Ｒ’は、水素原子、脂肪族基、アシル基またはスルホニル基）であり、より好ましくは、酸素原子、＝ＮＨ、＝Ｎ脂肪族基であり、更に好ましくは、酸素原子、＝ＮＨである。
【００４９】
式（Ａ−８）で表される基は、好ましくは下記式（Ａ−８０）で表される基である。
【化２２】
2007283748.tif 000023
【００５０】
（Ａ−９）
式（Ａ−９）中、Ｒ221は、好ましくは、水素原子、脂肪族基、アリール基、ヘテロ環基、アシルアミノ基、脂肪族オキシ基、アリールオキシ基、アリールアミノ基、ヘテロ環アミノ基、カルバモイルアミノ基であり、更に好ましくは、脂肪族基、脂肪族オキシ基、アリールオキシ基である。
【００５１】
Ｑ2と隣接する２つの窒素原子によって形成される環は、５〜７員環であることが好ましく、５または６員環であることが好ましい。その具体例としては、例えば１，２，４−トリアゾール環、ピリミジン環等が挙げられる
【００５２】
式（Ａ−９）で表される基は、好ましくは、下記（Ａ−９０）〜（Ａ−９５）であり、より好ましくは、（Ａ−９０）、（Ａ−９１）、（Ａ−９２）、（Ａ−９３）であり、更に好ましくは、（Ａ−９０）、（Ａ−９３）である。
【化２３】
2007283748.tif 000024
【００５３】
（Ａ−１０）
式（Ａ−１０）中、Ｑ3と隣接する２つの炭素原子によって形成される環は、５〜７員環であることが好ましく、５または６員環であることが更に好ましく、６員ヘテロ環であることが特に好ましい。
【００５４】
式（Ａ−１０）で表される基は、好ましくは、下記（Ａ−１００）〜（Ａ−１０８）であり、より好ましくは、（Ａ−１０１）、（Ａ−１０３）、（Ａ−１０４）、（Ａ−１０８）であり、更に好ましくは、（Ａ−１０１）、（Ａ−１０３）、（Ａ−１０８）であり、最も好ましくは（Ａ−１０３）、（Ａ−１０８）である。
【化２４】
2007283748.tif 000025
【００５５】
（Ａ−１１）
式（Ａ−１１）中、Ｒ222、Ｒ223は、好ましくは、ヘテロ環基、アシル基、脂肪族オキシカルボニル基、カルバモイル基、脂肪族スルホニル基、アリールスルホニル基、スルファモイル基、シアノ基であり、より好ましくはアシル基、脂肪族オキシカルボニル基、カルバモイル基、脂肪族スルホニル基、シアノ基であり、最も好ましくは脂肪族オキシカルボニル基、脂肪族スルホニル基、シアノ基である。なお、式（Ａ−１１）中、Ｒ222、Ｒ223は、同じであっても異なっていてもよい。
【００５６】
式（Ａ−１１）で表される基は、好ましくは、下記（Ａ−１１０）、（Ａ−１１１）であり、更に好ましくは、（Ａ−１１０）である。
【化２５】
2007283748.tif 000026
【００５７】
以上説明した（Ａ−１）〜（Ａ−１１）中、Ａ部として好ましくは（Ａ−１）、（Ａ−２）、（Ａ−６）、（Ａ−７）、（Ａ−８）、（Ａ−９）、（Ａ−１１）であり、更に好ましくは（Ａ−１）、（Ａ−６）、（Ａ−７）、（Ａ−８）、（Ａ−９）、（Ａ−１１）であり、最も好ましくは（Ａ−１）、（Ａ−７）、（Ａ−９）、（Ａ−１１）である。
【００５８】
一般式（Ｉ）中、Ｂで表される複素環基としては、無置換であっても置換されていてもよく、縮環していてもよく、５員ないし７員環の総炭素数２〜３０の置換または無置換の複素環基が好ましい。具体的には、各々、置換されてもいてもよいピラゾール−５−オン、ピラゾリジン−３，５−ジオン、イミダゾリン−５−オン、ヒダントイン、２−又は４−チオヒダントイン、２−イミノオキサゾリジン−４−オン、２−オキサゾリン−５−オン、２−チオオキサゾリン−２，４−ジオン、イソローダニン、ローダニン、チオフェン−３−オン、チオフェン−３−オン−１，１−ジオキシド、インドリン−２−オン、インドリン−３−オン、２−オキソインダゾリウム、５，７−ジオキソ−６，７−ジヒドロチアゾロ〔３，２−ａ〕ピリミジン、３，４−ジヒドロイソキノリン−４−オン、１，３−ジオキサン−４，６−ジオン（例えばメルドラム酸など）、バルビツール酸、２−チオバルビツール酸、クマリン−２，４−ジオン、インダゾリン−２−オン、ピリド［１，２−ａ］ピリミジン−１，３−ジオン、ピラゾロ〔１，５−ｂ〕キナゾロン、ピラゾロピリドン、５員又は６員の炭素環（例えば、ヘキサン−１，３−ジオン、ペンタン−１，３−ジオン、インダン−１，３−ジオン）類等、１H-イミダゾ〔１,２−ｂ〕ピラゾール類、１H-ピラゾロ〔５,１−C〕〔１，２，４〕トリアゾール類、１H-ピラゾロ〔１,５−b〕〔１，２，４〕トリアゾール類等が挙げられる。その中でも、Ｂは、芳香族へテロ環が好ましい。
【００５９】
Ｂで表されるアリール基としては、無置換であっても置換されていてもよく、縮環していても良く、好ましくは総炭素数６〜１８であって、例えば４−ジエチルアミノ−２−メチルフェニル基、４−Ｎ−エチル−Ｎ−メタンスルホンアミドエチル−２−メチルフェニル基、４−ジヒドロキシエチル−２−メチルフェニル基等が挙げられる。
【００６０】
Ｂが置換複素環基または置換アリール基である場合の置換基については、先にＡが有し得る置換基について説明した通りである。
【００６１】
Ｂ部として好ましい基としては、下記式（Ｂ−１）〜（Ｂ−９）で表される基を挙げることができる。以下において、Ｒ1007は、置換基であり、Ｒ1006、Ｒ1005は、水素原子または置換基である。置換基としては、前述の各種置換基を挙げることができる。
【００６２】
【化２６】
2007283748.tif 000027
【００６３】
上記において、Ｒ300〜Ｒ330は、各々独立に、水素原子または置換基である。前記置換基としては、前述の各種置換基を挙げることができる。
Ｒ300とＲ301、Ｒ301とＲ302、Ｒ302とＲ303、Ｒ303とＲ304、Ｒ305とＲ306、Ｒ306とＲ307、Ｒ307とＲ308、Ｒ309とＲ310、Ｒ310とＲ311、Ｒ313とＲ314、Ｒ319とＲ320、Ｒ321とＲ322は、互いに結合して環を形成してもよい。形成される環としては、５〜７員環が好ましい。
【００６４】
Ｒ300〜Ｒ330は、好ましくは、水素原子、脂肪族基、アリール基、アシルオキシ基、アシルアミノ基、脂肪族オキシ基、脂肪族スルホニルオキシ基、アリールスルホニルオキシ基、脂肪族スルホンアミド基、アリールスルホンアミド基、アミノ基、脂肪族アミノ基、アリールアミノ基、脂肪族オキシカルボニルアミノ基、アリールオキシカルボニルアミノ基、ヘテロ環オキシカルボニルアミノ基、ヒドロキシ基、シアノ基、スルホ基、カルバモイルアミノ基、スルファモイルアミノ基である。
【００６５】
前記Ｑ13は、Ｑ13と隣接する２つの窒素原子とともに環を形成するに必要な非金属原子群を表し、前記Ｑ14は、Ｑ14と隣接する２つの窒素原子とともに環を形成するに必要な非金属原子群を表す。形成される環は、５〜７員環が好ましい。
以下に、式（Ｂ−１）〜（Ｂ−９）で表される基の詳細を順次説明する。
【００６６】
（Ｂ−１）
式（Ｂ−１）中、Ｒ300、Ｒ301、Ｒ303、Ｒ304は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００６７】
Ｒ302は、好ましくはアシルアミノ基、脂肪族オキシ基、脂肪族スルホンアミド基、アリールスルホンアミド基、脂肪族アミノ基、アリールアミノ基、脂肪族オキシカルボニルアミノ基、脂肪族オキシ基、脂肪族スルホンアミド基であり、更に好ましくは脂肪族アミノ基、アリールアミノ基である。Ｒ302とＲ303の閉環も好ましい。
【００６８】
式（Ｂ−１）で表される基は、好ましくは、下記（Ｂ−１０）〜（Ｂ−１２）であり、より好ましくは（Ｂ−１０）、（Ｂ−１１）である。
【化２７】
2007283748.tif 000028
【００６９】
（Ｂ−２）
式（Ｂ−２）中、Ｒ305、Ｒ306、Ｒ308は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００７０】
Ｒ307は、好ましくはアシルアミノ基、脂肪族オキシ基、脂肪族スルホンアミド基、アリールスルホンアミド基、脂肪族アミノ基、アリールアミノ基、脂肪族オキシカルボニルアミノ基であり、更に好ましくは脂肪族アミノ基、アリールアミノ基である。Ｒ306とＲ307、またはＲ307とＲ308の閉環も好ましい。
【００７１】
式（Ｂ−２）で表される基は、好ましくは、下記(Ｂ−２０)〜（Ｂ−２２）であって、より好ましくは(Ｂ−２０)である。
【化２８】
2007283748.tif 000029
【００７２】
（Ｂ−３）
式（Ｂ−３）中、Ｒ309、Ｒ310、Ｒ312は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００７３】
Ｒ311は、好ましくはアシルアミノ基、脂肪族オキシ基、脂肪族スルホンアミド基、アリールスルホンアミド基、脂肪族アミノ基、アリールアミノ基、脂肪族オキシカルボニルアミノ基であり、更に好ましくは脂肪族アミノ基、アリールアミノ基である。Ｒ310とＲ311の閉環も好ましい。
【００７４】
式（Ｂ−３）で表される基は、好ましくは、下記(Ｂ−３０)〜(Ｂ−３２)であって、より好ましくは（Ｂ−30）,(Ｂ−３１)である。
【化２９】
2007283748.tif 000030
【００７５】
（Ｂ−４）
式（Ｂ−４）中、Ｒ313、Ｒ315は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００７６】
Ｒ314は、好ましくはアシルアミノ基、脂肪族オキシ基、脂肪族スルホンアミド基、アリールスルホンアミド基、脂肪族アミノ基、アリールアミノ基、脂肪族オキシカルボニルアミノ基であり、更に好ましくは脂肪族アミノ基、アリールアミノ基である。Ｒ313とＲ314の閉環も好ましい。
【００７７】
式（Ｂ−４）で表される基は、好ましくは、下記(Ｂ−４０)、(Ｂ−４１)であって、より好ましくは、(Ｂ−４０)である。
【化３０】
2007283748.tif 000031
【００７８】
（Ｂ−５）
式（Ｂ−５）中、Ｒ316、Ｒ318は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００７９】
Ｒ317は、好ましくはアシルアミノ基、脂肪族オキシ基、脂肪族スルホンアミド基、アリールスルホンアミド基、脂肪族アミノ基、アリールアミノ基、脂肪族オキシカルボニルアミノ基であり、更に好ましくは脂肪族アミノ基、アリールアミノ基である。
【００８０】
式（Ｂ−５）で表される基は、好ましくは、下記(Ｂ−５０)である。
【化３１】
2007283748.tif 000032
【００８１】
（Ｂ−６）
式（Ｂ−６）中、Ｒ319、Ｒ320、Ｒ321は、好ましくは水素原子、脂肪族基、アシルアミノ基、脂肪族オキシ基、脂肪族スルホンアミド基、アリールスルホンアミド基、脂肪族アミノ基、アリールアミノ基、脂肪族オキシカルボニルアミノ基、アリールオキシカルボニルアミノ基、ヘテロ環オキシカルボニルアミノ基、カルバモイルアミノ基、スルファモイルアミノ基であり、更に好ましくは、水素原子、脂肪族基、アシルアミノ基、脂肪族オキシ基、脂肪族スルホンアミド基、アリールスルホンアミド基、脂肪族オキシカルボニルアミノ基、アリールオキシカルボニルアミノ基、ヘテロ環オキシカルボニルアミノ基、カルバモイルアミノ基、スルファモイルアミノ基である。
【００８２】
Ｒ322は、好ましくは水素原子、アシルアミノ基、脂肪族オキシ基、脂肪族スルホンアミド基、アリールスルホンアミド基であり、更に好ましくは水素原子である。
【００８３】
（Ｂ−７）
式（Ｂ−７）中、Ｒ323は、好ましくは、脂肪族基、アリール基、ヘテロ環基、アシル基、アシルアミノ基、脂肪族オキシ基、脂肪族オキシカルボニル基、カルバモイル基、脂肪族アミノ基、アリールアミノ基、ヘテロ環アミノ基、カルバモイルアミノ基、スルファモイルアミノ基、ヒドロキシ基、シアノ基であり、更に好ましくは脂肪族基、ヘテロ環基、アシル基、アシルアミノ基、脂肪族オキシカルボニル基、カルバモイル基、アリールアミノ基、ヘテロ環アミノ基、カルバモイルアミノ基、シアノ基であり、最も好ましくは  アシルアミノ基、脂肪族オキシカルボニル基、カルバモイル基、アリールアミノ基、カルバモイルアミノ基、シアノ基である。
【００８４】
Ｒ324は、好ましくは、脂肪族基、アリール基、ヘテロ環基、アシル基、脂肪族オキシカルボニル基、カルバモイル基であり、更に好ましくは脂肪族基、アリール基、ヘテロ環基であり、最も好ましくはアリール基である。
【００８５】
Ｒ325は、好ましくはヒドロキシ基、脂肪族オキシ基、アシルオキシ基、アシルアミノ基、脂肪族オキシカルボニルアミノ基であり、更に好ましくはヒドロキシ基、脂肪族オキシ基である。
【００８６】
式（Ｂ−７）で表される基は、好ましくは下記（Ｂ−７０）である。（Ｂ−７０）において、Ｒ1006は、水素原子または脂肪族基であることが更に好ましい。
【化３２】
2007283748.tif 000033
【００８７】
（Ｂ−８）
式（Ｂ−８）中、Ｒ326は、好ましくは、水素原子、脂肪族基、アリール基、ヘテロ環基、アシルアミノ基、脂肪族オキシ基、アリールオキシ基、アリールアミノ基、ヘテロ環アミノ基、カルバモイルアミノ基であり、更に好ましくは脂肪族基、脂肪族オキシ基、アリールオキシ基であり、最も好ましくは脂肪族基である。
【００８８】
Ｒ327は、好ましくは、水素原子、 脂肪族基、アシル基、脂肪族オキシカルボニル基、カルバモイル基、脂肪族スルホニル基、芳香族スルホニル基であり、更に好ましくは水素原子、脂肪族基、アシル基、脂肪族スルホニル基であり、最も好ましくは水素原子、脂肪族基である。Ｑ13が隣接する２つの窒素原子と形成する環は、５または６員環が好ましい。
【００８９】
式（Ｂ−８）で表される基は、好ましくは、下記（Ｂ−８０）〜（Ｂ−８５）であり、より好ましくは（Ｂ−８０）、（Ｂ−８１）、（Ｂ−８２）、（Ｂ−８３）であり、更に好ましくは、（Ｂ−８０）、（Ｂ−８３）である。
【化３３】
2007283748.tif 000034
【００９０】
（Ｂ−９）
式（Ｂ−９）中、Ｒ328、Ｒ330は、好ましくは、ヘテロ環基、アシル基、脂肪族オキシカルボニル基、カルバモイル基、脂肪族スルホニル基、アリールスルホニル基、スルファモイル基、シアノ基であり、より好ましくはアシル基、脂肪族オキシカルボニル基、カルバモイル基、脂肪族スルホニル基、シアノ基であり、最も好ましくは脂肪族オキシカルボニル基、脂肪族スルホニル基、シアノ基である。
【００９１】
Ｒ329は、好ましくは、水素原子、 脂肪族基、アシル基、脂肪族オキシカルボニル基、カルバモイル基、脂肪族スルホニル基、芳香族スルホニル基であり、更に好ましくは水素原子、脂肪族基、アシル基、脂肪族スルホニル基であり、最も好ましくは水素原子、脂肪族基である。Ｑ14が隣合う２つの窒素原子と形成する環は、５または６員環が好ましい。
【００９２】
式（Ｂ−９）で表される基は、好ましくは、下記（Ｂ−９０）、（Ｂ−９１）であり、更に好ましくは（Ｂ−９０）である。
【化３４】
2007283748.tif 000035
【００９３】
以上説明した（Ｂ−１）〜（Ｂ−９）中、Ｂ部として好ましくは（Ｂ−１）、（Ｂ−３）、（Ｂ−４）、（Ｂ−７）、（Ｂ−８）であり、より好ましくは（Ｂ−１）、（Ｂ−３）、（Ｂ−８）である。
【００９４】
一般式（Ｉ）で表される色素におけるＡ部とＢ部の好ましい組み合わせを以下に示す。なお、Ａ部とＢ部の好ましい組み合わせの例としては、後述する一般式(100)〜（106）で表される化合物を挙げることもできる。
【表１】
2007283748.tif 000036
【００９５】
以下に、一般式（Ｉ）中のＡ部、Ｂ部の具体例を示すが、本発明に用いられる色素は、下記の例に限定されるものではない。なお、下記において、＊は一般式（Ｉ）中の窒素原子との結合手を表す。
【００９６】
【化３５】
2007283748.tif 000037
【００９７】
【化３６】
2007283748.tif 000038
【００９８】
【化３７】
2007283748.tif 000039
【００９９】
【化３８】
2007283748.tif 000040
【０１００】
【化３９】
2007283748.tif 000041
【０１０１】
【化４０】
2007283748.tif 000042
【０１０２】
【化４１】
2007283748.tif 000043
【０１０３】
【化４２】
2007283748.tif 000044
【０１０４】
【化４３】
2007283748.tif 000045
【０１０５】
【化４４】
2007283748.tif 000046
【０１０６】
【化４５】
2007283748.tif 000047
【０１０７】
【化４６】
2007283748.tif 000048
【０１０８】
【化４７】
2007283748.tif 000049
【０１０９】
【化４８】
2007283748.tif 000050
【０１１０】
【化４９】
2007283748.tif 000051
【０１１１】
以上示したＡ部およびＢ部の具体例の好ましい組み合わせとしては、下記例示化合物を挙げることができる。但し、本発明で使用される色素は、下記の例示化合物に限定されるものではない。下記表中、より好ましい例示化合物に＊を付した。
【０１１２】
【表２】
2007283748.tif 000052
2007283748.tif 000053
2007283748.tif 000054
2007283748.tif 000055
2007283748.tif 000056
2007283748.tif 000057
【０１１３】
一般式（Ｉ）で表される色素は、Ａに相当するカプラ−と、Ｂにアミンが置換した化合物を酸化カップリングすることによって合成することができる。具体的には特開２００１−３４２３６４号公報、特開２００４−５１８７３号公報、特開平０７−１３７４５５号公報、特開昭６１−３１２９２号公報等に記載の方法に準じて合成することができる。
なお、一般式（Ｉ）で表される色素は、プロトンの移動による互変異性体構造をとることができる場合は、その構造の色素も一般式（Ｉ）で表される色素に含まれるものである。
【０１１４】
更に、一般式（Ｉ）で表される色素の好ましい態様としては、下記一般式(100)〜(106)で表される色素を挙げることができる。
【０１１５】
【化５０】
2007283748.tif 000058
[一般式(100)中、ＥＷＧ2は電子求引性基を表し、Ｒ21、Ｒ22、Ｒ23およびＲ24は、各々独立に、一価の置換基を表し、Ｒ25は水素原子または一価の置換基を表し、ｎ６およびｎ７は各々独立に０〜４の範囲の整数を表す。]
【０１１６】
【化５１】
2007283748.tif 000059
[一般式(101)中、Ｒ91は、水素原子または一価の置換基を表し、Ｒ93およびＲ94は、各々独立に置換もしくは無置換のアルキル基、置換もしくは無置換のアリール基、または置換もしくは無置換のへテロ環基を表し、Ｒ92は一価の置換基を表し、ｎ１５は０〜２の範囲の整数を表し、Ｚ1およびＺ2は、どちら一方が＝Ｎ−であり、他方が、＝Ｃ（Ｒ95）−を表し、Ｚ3およびＺ4は、各々独立に＝Ｎ−または、＝Ｃ（Ｒ96）−を表し、Ｒ95およびＲ96は、各々独立に水素原子または一価の置換基を表す。]
【０１１７】
【化５２】
2007283748.tif 000060
[一般式(102)中、Ｒ103およびＲ104は、各々独立に、置換もしくは無置換のアルキル基、置換もしくは無置換のアリール基、または置換もしくは無置換のへテロ環基を表し、Ｒ101およびＲ102は、各々独立に一価の置換基を表し、ｎ１６およびｎ１７は、各々独立に０〜４の範囲の整数を表す。]
【０１１８】
【化５３】
2007283748.tif 000061
[一般式(103)中、Ｒ221、Ｒ326、Ｒ327、Ｒ1001およびＲ1005は、各々独立に水素原子または置換基を表す。]
【０１１９】
【化５４】
2007283748.tif 000062
[一般式(104)中、Ｒ222、Ｒ223、Ｒ300、Ｒ1001およびＲ1005は、各々独立に水素原子または置換基を表し、Ｒ1007は置換基を表す。]
【０１２０】
【化５５】
2007283748.tif 000063
[一般式(105)中、Ｒ202、Ｒ300、Ｒ1001およびＲ1005は、各々独立に水素原子または置換基を表し、Ｒ1000およびＲ1007は、各々独立に置換基を表す。]
【０１２１】
【化５６】
2007283748.tif 000064
[一般式(106)中、Ｒ202、Ｒ300、Ｒ1001およびＲ1005は、各々独立に水素原子または置換基を表し、Ｒ1000およびＲ1007は、各々独立に置換基を表す。]
以下に、一般式(100)〜(106)で表される化合物について、順次説明する。
【０１２２】
一般式(100)
一般式(100)で表される化合物は、一般式（Ｉ）中のＡ部が（Ａ−１）、Ｂ部が（Ｂ−１）である化合物であって、（Ａ−１）中のＲ200とＲ201が互いに結合して環を形成した化合物である。
一般式(100)中のＥＷＧ2はＨａｍｍｅｔｔの置換基定数σp値が０以上の電子求引性基を表し、その詳細は先に（Ａ−１）中のＲ202について説明した通りである。
以下に、Ｈａｍｍｅｔｔの置換基定数σp値について若干説明する。Ｈａｍｍｅｔｔ則は、ベンゼン誘導体の反応または平衡に及ぼす置換基の影響を定量的に論ずるために1935年L. P. Hammettにより提唱された経験則であるが、これは今日広く妥当性が認められている。Hammett則で求められた置換基定数にはσp値とσm値があり、これらの値は多くの一般的な成書に見出すことができるが、例えば、J. A. Dean編「Lange's Handbook of Chemistry」第12版、1979年 (Mc Graw - Hill) や「化学の領域」増刊122号96〜103頁、1979年(南光堂)に詳しい。尚、本明細書において各置換基をハメットの置換基定数σpにより限定したり、説明したりするが、これは上記の成書で見出せる、文献既知の値がある置換基にのみ限定されるという意味ではなく、その値が文献未知であってもHammett則に基づいて測定した場合にその範囲内に包まれるであろう置換基をも含むことはいうまでもない。また、前記一般式中には、ベンゼン誘導体ではないものも含まれるが、置換基の電子効果を示す尺度として、置換位置に関係なくσp値を使用する。本明細書においてσp値をこのような意味で使用する。
【０１２３】
一般式(100)中のＲ25は、水素原子または一価の置換基を表し、その詳細は先に（Ａ−１）中のＲ203について説明した通りである。
【０１２４】
一般式(100)中のＲ24は一価の置換基を表し、その詳細は先に置換基について説明した通りである。ｎ７は０〜４の範囲の整数を表し、好ましくは０である。
【０１２５】
一般式(100)中のＲ21、Ｒ22およびＲ23は、各々独立に一価の置換基を表す。前記置換基の詳細は先に説明した通りである。また、一般式(100)中のｎ６は０〜４の範囲の整数を表し、好ましくは1である。
【０１２６】
一般式(101)
一般式(101)で表される化合物は、一般式（Ｉ）中のＡ部が（Ａ−９）、Ｂ部が（Ｂ−１）、（Ｂ−２）または（Ｂ−３）である化合物である。
【０１２７】
一般式(101)中のＲ91は水素原子または一価の置換基を表し、その詳細は先に（Ａ−９）中のＲ221について説明した通りである。
【０１２８】
一般式(101)中のＺ1およびＺ2は、どちら一方が＝Ｎ−であり、他方が、＝Ｃ（Ｒ95）−を表し、Ｒ95は水素原子または一価の置換基を表す。前記置換基の詳細は先に説明した通りである。
【０１２９】
一般式(101)中のＲ93およびＲ94は、各々独立に、置換もしくは無置換のアルキル基、置換もしくは無置換のアリール基、または置換もしくは無置換のへテロ環基を表し、好ましくは水素原子、または置換もしくは無置換のアルキル基、置換もしくは無置換のアルケニル基、置換もしくは無置換のアリール基、置換もしくは無置換のヘテロ環基である。より好ましくは水素原子または置換もしくは無置換のアルキル基である。さらに好ましくは、置換または無置換の炭素数１〜６のアルキル基であり、より一層好ましくは置換または無置換の炭素数１〜６のアルキル基である。
【０１３０】
一般式(101)中のＲ92は一価の置換基を表す。前記置換基の詳細は先に説明した通りである。また、一般式(101)中のｎ１５は０〜２の範囲の整数であり、好ましくは０または１であり、より好ましくは1である。
【０１３１】
一般式(101)中のＺ3およびＺ4は、各々独立に＝Ｎ−または、＝Ｃ（Ｒ96）−を表し、Ｒ95およびＲ96は、各々独立に水素原子または一価の置換基を表す。前記置換基の詳細については先に説明した通りである。
【０１３２】
一般式(102)
一般式(102)で表される化合物は、一般式（Ｉ）中のＡ部が（Ａ−１）、Ｂ部が（Ｂ−１）である化合物である。
【０１３３】
一般式(102)中のＲ101およびＲ102は、各々独立に一価の置換基である。前記置換基については先に説明した通りである。また、ｎ１６およびｎ１７は、各々独立に０〜４の範囲の整数である。ｎ１６は、好ましくは１〜３の範囲の整数であり、ｎ１７は、好ましくは０〜２の範囲の整数であり、更に好ましくは０または１である。
【０１３４】
一般式(102)中のＲ103およびＲ104は、各々独立に、置換もしくは無置換のアルキル基、置換もしくは無置換のアリール基、または置換もしくは無置換のへテロ環基を表す。好ましくは置換もしくは無置換のアルキル基、または置換もしくは無置換のアリール基であり、より好ましくは置換もしくは無置換のアルキル基である。
【０１３５】
一般式(103)
一般式(103)で表される化合物は、一般式（Ｉ）中のＡ部が（Ａ−９）、Ｂ部が（Ｂ−８）である化合物である。一般式(103)中、Ｒ221、Ｒ326、Ｒ327、Ｒ1001およびＲ1005は、各々独立に水素原子または置換基である。一般式(103)中のＲ221の詳細は、（Ａ−９）中のＲ221について説明した通りであり、一般式(103)中のＲ326およびＲ327の詳細は、先に（Ｂ−８）中のＲ326およびＲ327について説明した通りである。また、一般式(103)中のＲ1001の詳細は、先にＡ部に含まれ得るＲ1001について説明した通りであり、一般式(103)中のＲ1005の詳細は、先にＢ部に含まれ得るＲ1005について説明した通りである。
【０１３６】
一般式(104)
一般式(104)で表される化合物は、一般式（Ｉ）中のＡ部が（Ａ−１１）、Ｂ部が（Ｂ−１）である化合物である。一般式(104)中、Ｒ222、Ｒ223、Ｒ300、Ｒ1001およびＲ1005は、各々独立に水素原子または置換基であり、Ｒ1007は置換基である。一般式(104)中のＲ222およびＲ223の詳細は、先に（Ａ−１１）中のＲ222およびＲ223について説明した通りであり、一般式(104)中のＲ330の詳細は、先に（Ｂ−１）中のＲ330について説明した通りである。また、一般式(104)中のＲ1001の詳細は、先にＡ部に含まれ得るＲ1001について説明した通りであり、一般式(104)中のＲ1005およびＲ1007の詳細は、先にＢ部に含まれ得るＲ1005およびＲ1007について説明した通りである。
【０１３７】
一般式(105)
一般式(105)で表される化合物は、一般式（Ｉ）中のＡ部が（Ａ−１）、Ｂ部が（Ｂ−１）である化合物である。一般式(105)中、Ｒ202、Ｒ300、Ｒ1001およびＲ1005は、各々独立に水素原子または置換基であり、Ｒ1000およびＲ1007は、各々独立に置換基である。一般式(105)中のＲ202の詳細は、先に（Ａ−１）中のＲ202について説明した通りであり、一般式(105)中のＲ300の詳細は、先に（Ｂ−１）中のＲ300について説明した通りである。また、一般式(105)中のＲ1000およびＲ1001の詳細は、先にＡ部に含まれ得るＡ1000およびＲ1001について説明した通りであり、一般式(105)中のＲ1005およびＲ1007の詳細は、先にＢ部に含まれ得るＲ1005およびＲ1007について説明した通りである。
【０１３８】
一般式(106)
一般式(106)で表される化合物は、一般式（Ｉ）中のＡ部が（Ａ−１）、Ｂ部が（Ｂ−１）である化合物である。一般式(106)中、Ｒ202、Ｒ300、Ｒ1001およびＲ1005は、各々独立に水素原子または置換基であり、Ｒ1000およびＲ1007は、各々独立に置換基である。一般式(106)中のＲ202の詳細は、先に（Ａ−１）中のＲ202について説明した通りであり、一般式(106)中のＲ300の詳細は、先に（Ｂ−１）中のＲ300について説明した通りである。また、一般式(106)中のＲ1000およびＲ1001の詳細は、先にＡ部に含まれ得るＡ1000およびＲ1001について説明した通りであり、一般式(106)中のＲ1005およびＲ1007の詳細は、先にＢ部に含まれ得るＲ1005およびＲ1007について説明した通りである。
【０１３９】
一般式(100)で表される化合物の好ましい具体例としては、前述の例示化合物D1-41〜43、45、46を挙げることができる。一般式（101）で表される化合物の好ましい具体例としては、前述の例示化合物D3-27〜D3-35を挙げることができる。一般式（102）で表される化合物の好ましい具体例としては、前述の例示化合物D1-1〜5、32〜34を挙げることができる。一般式（103）で表される化合物の好ましい具体例としては、前述の例示化合物D3-41、42〜50を挙げることができる。一般式（104）で表される化合物の好ましい具体例としては、前述の例示化合物D4-1〜5、8、10、11、13、16、18を挙げることができる。一般式（105）で表される化合物の好ましい具体例としては、前述の例示化合物D1-6、7、36、37、47、48を挙げることができる。一般式（106）で表される化合物の好ましい具体例としては、前述の例示化合物D1-8、9、38、40、49を挙げることができる。
【０１４０】
前記一般式(100)〜(106)で表される色素は、市販品として入手可能なものもある。また、市販されていないものに関しては、以下の文献記載の方法に準じて合成することができる： US Application Ser. No. 07/059,442、米国特許3,770,370号明細書、特開2004-51873号明細書、独国特許2316755号明細書、特開平7-137455号明細書、特開昭61-31292号公報、J. Chem. Soc. Perkin transfer I, 1977, 2047、Champan著「Merocyanine Dye-Doner Element Used in thermal Dye Transefer」。
【０１４１】
＜可視情報記録層＞
本発明の光記録媒体は、一般式（Ｉ）で表される色素を可視記録層に含有する。本発明では、各色素を単独で用いることもでき、所望の色調に応じて必要に応じて適宜２種以上の色素を組み合わせて使用することもできる。例えば、一般式(100)、(102)で表される色素はシアン系色素であり、一般式(101)で表される色素はマゼンダ系色素である。
上記各色素は、照射されたレーザー光を吸収して光−熱変換することにより、発生した熱によって色素が分解し、可視光領域の光の吸収が減少し得る。これにより、未分解色素により呈色した領域との間で色調の差が生じることにより、可視情報記録層に画像等の可視情報を形成することができる。
【０１４２】
前記色素は、４００〜８５０ｎｍの波長領域のレーザー光に対して吸光度０．５以上（好ましくは０．１〜１．０）の吸収を有することが好ましい。可視情報記録層に含まれる色素が上記吸収を有することにより、レーザー光照射によって、良好な視認性を有する文字、画像、絵柄等の可視情報を記録することができる。
【０１４３】
前記可視情報記録層は、前記色素を溶剤に溶解して調製した塗布液を塗布することによって形成することができる。溶剤としては、後述する記録層用塗布液の調製に使用可能な各種溶剤を使用することができる。その他の添加剤、塗布方法等の詳細は、記録層について後述する通りである。
【０１４４】
前記可視情報記録層は、前記色素を主成分とすることが好ましい。ここで、「主成分とする」とは、可視情報記録層中の全固形分に対する色素の含有量（複数種の色素を使用する場合は、その合計量）が５０質量％以上であることをいう。前記可視情報記録層中の前記色素含有量は、好ましくは８０％質量以上、より好ましくは９０〜１００質量％である。
【０１４５】
前記可視情報記録層の厚さは、０．０１〜２００μｍとすることが好ましく、０．０５〜１００μｍとすることがより好ましく、０．１〜５０μｍとすることがさらに好ましい。可視情報記録層と記録層との厚さの比（可視情報記録層厚／記録層厚）は、１／１００〜１００／１とすることが好ましく、１／１０〜１０／１とすることがより好ましい。
【０１４６】
前記可視情報記録層に記録される可視情報とは、視覚的に認識可能な情報を意味し、文字（列）、絵柄、図形等、あらゆる視認可能な情報を含む。また、文字情報としては、使用可能者指定情報、使用期間指定情報、使用可能回数指定情報、レンタル情報、分解能指定情報、レイヤ指定情報、ユーザー指定情報、著作権者情報、著作権番号情報、製造者情報、製造日情報、販売日情報、販売店または販売者情報、使用セット番号情報、地域指定情報、言語指定情報、用途指定情報、製品使用者情報、使用番号情報等が挙げられる。
【０１４７】
＜層構成＞
本発明の光記録媒体は、例えば、第一基板、レーザー光を照射して情報の記録および／または再生が可能な記録層、反射層、可視情報記録層、ならびに第二基板をこの順に有するものであることができる。但し、本発明の光記録媒体は、基板上に可視情報記録層を有し、該可視情報記録層に前記色素を含むものであれば、その層構成は特に限定されるものではなく、各種の層構成を取ることができる。本発明の光記録媒体の一例（概略断面図）を、図１に示す。
【０１４８】
図１に示す光記録媒体１０は、第１基板１６と、該第１基板１６上に形成された記録層１８と、該記録層１８上に形成された第１反射層２０と、該第１反射層２０上に形成された接着層２２と、該接着層２２上に形成された第２反射層２４と、該第２反射層２４上に形成された前記可視情報記録層１４と、該可視情報記録層１４上に形成された第２基板２６とを有する。光記録媒体の種類としては、読出し専用型、追記型、書換え可能型等のいずれでもよいが、追記型であることが好ましい。また、追記型の場合、その記録形式としては、相変化型、光磁気型、色素型等、特に制限されないが、色素型であることが好ましい。
【０１４９】
本発明の光記録媒体の層構成としては、例えば、以下の構成が挙げられる。
（１）第１の層構成は、例えば図１に示すように、第１基板１６上に、記録層１８、第１反射層２０、接着層２２、第２反射層２４を順次形成し、該第２反射層２４上に可視情報記録層１４、第２基板２６を設ける構成である。
（２）第２の層構成は、図示しないが、第１基板１６上に、記録層１８、第１反射層２０、接着層２２を順次形成し、接着層２２上に可視情報記録層１４、第２基板２６を設ける構成である。
（３）第３の層構成は、図示しないが、第１基板１６上に、記録層１８、第１反射層２０、保護層、接着層２２を順次形成し、該接着層２２上に可視情報記録層１４、第２基板２６を設ける構成である。
（４）第４の層構成は、図示しないが、第１基板１６上に、記録層１８、第１反射層２０、第１保護層、接着層２２、第２保護層を順次形成し、該第２保護層上に可視情報記録層１４、第２基板２６を設ける構成である。
（５）第５の層構成は、第１基板１６上に、記録層１８、第１反射層２０、第１保護層、接着層２２、第２保護層、第２反射層２４を順次形成し、該第２反射層２４上に可視情報記録層１４、第２基板２６を設ける構成である。
なお、上記（１）〜（５）の層構成は単なる例示であり、これらの層構成は上述の順番のみでなく、一部を入れ替えてもよい。また、一部を省略してもかまわない。さらに、各層は１層で構成されても複数層で構成されてもよい。
【０１５０】
本発明の光記録媒体が、ＣＤ−Ｒである場合には、トラックピッチ１．４〜１．８μｍのプリグルーブ２８（図１参照）が形成された厚さ１．２±０．２ｍｍの透明な円盤状の第１基板１６上に、記録層１８、第１反射層２０、保護層、接着層２２、第２反射層２４、前記色素を含む可視情報記録層１４、第２基板２６をこの順に有する構成であることが好ましい。また、ＤＶＤ−Ｒに適用する場合には以下の二つの態様であることが好ましい。
（１）トラックピッチ０．６〜０．９μｍのプリグルーブ２８が形成された厚さ０．６±０．１ｍｍの透明な円盤状の第１基板１６上に、記録層１８および光反射層が設けられてなる二枚の積層体が、それぞれ記録層１８が内側となるように接合され、厚さ１．２±０．２ｍｍであり、少なくともどちらかの第１基板１６上に可視情報記録層１４を設けてなる光情報記録媒体。
（２）トラックピッチ０．６〜０．９μｍのプリグルーブ２８が形成された厚さ０．６±０．１ｍｍの透明な円盤状の第１基板１６上に、記録層１８および光反射層が設けられてなる積層体と、該積層体の円盤状の第１基板１６と同じ形状の透明な円盤状保護基板とを、記録層１８が内側となるように接合され、厚さ１．２±０．２ｍｍであり、少なくともどちらかの基板上に可視情報記録層１４を設けてなる光情報記録媒体。なお、上記ＤＶＤ−Ｒ型の光情報記録媒体においては、光反射層の上にはさらに保護層を設けた構成とすることもできる。
【０１５１】
以下、上記各層および基板について順次説明する。
＜記録層＞
本発明の光記録媒体における記録層は、レーザー光を照射して情報の記録および／または再生が可能な層である。記録層は、デジタル情報等の符号情報（コード化情報）が記録される層であり、追記型（色素追記型が好ましい）、相変化型、光磁気型等が挙げられ、特に制限はないが、色素型であることが好ましい。
【０１５２】
色素型の記録層に含有される色素の具体例としては、シアニン色素、オキソノール色素、金属錯体系色素、アゾ色素、フタロシアニン色素等が挙げられる。また、特開平４−７４６９０号、特開平８−１２７１７４号、同１１−５３７５８号、同１１−３３４２０４号、同１１−３３４２０５号、同１１−３３４２０６号、同１１−３３４２０７号、特開２０００−４３４２３号、同２０００−１０８５１３号および同２０００−１５８８１８号等の各公報に記載されている色素が好適に用いられる。
【０１５３】
前記記録層は、色素等の記録物質を、結合剤等と共に適当な溶剤に溶解して塗布液を調製し、次いでこの塗布液を基板上に塗布して塗膜を形成した後、乾燥することにより形成することができる。塗布液中の記録物質の濃度は、一般に０．０１〜１５質量％の範囲であり、好ましくは０．１〜１０質量％の範囲、より好ましくは０．５〜５質量％の範囲、最も好ましくは０．５〜３質量％の範囲である。
【０１５４】
前記記録層は、蒸着法、スパッタリング法、ＣＶＤ法、溶剤塗布法等の方法によって形成することができる。中でも、溶剤塗布法を用いることが好ましい。この場合、前記色素等の他、さらに所望によりクエンチャ、結合剤等を溶剤に溶解して塗布液を調製し、次いでこの塗布液を基板の表面に塗布して塗膜を形成した後、乾燥することにより、記録層を形成することができる。
【０１５５】
塗布液の溶剤としては、酢酸ブチル、乳酸エチル、セロソルブアセテート等のエステル；メチルエチルケトン、シクロヘキサノン、メチルイソブチルケトン等のケトン；ジクロルメタン、１，２−ジクロルエタン、クロロホルム等の塩素化炭化水素；ジメチルホルムアミド等のアミド；メチルシクロヘキサン等の炭化水素；ジブチルエーテル、ジエチルエーテル、テトラヒドロフラン、ジオキサン等のエーテル；エタノール、ｎ−プロパノール、イソプロバノール、ｎ−ブタノール、ジアセトンアルコール等のアルコール；２，２，３，３−テトラフルオロプロパノール等のフッ素系溶剤；エチレングリコールモノメチルエーテル、エチレングリコールモノエチルエーテル、プロピレングリコールモノメチルエーテル等のグリコールエーテル類等を挙げることができる。
上記溶剤は使用する色素の溶解性を考慮して単独で、または２種以上を組み合わせて使用することができる。塗布液中にはさらに酸化防止剤、ＵＶ吸収剤、可塑剤、潤滑剤等、各種の添加剤を目的に応じて添加してもよい。
【０１５６】
結合剤を使用する場合、該結合剤の例としては、ゼラチン、セルロース誘導体、デキストラン、ロジン、ゴム等の天然有機高分子物質；およびポリエチレン、ポリプロピレン、ポリスチレン、ポリイソブチレン等の炭化水素系樹脂；ポリ塩化ビニル、ポリ塩化ビニリデン、ポリ塩化ビニル・ポリ酢酸ビニル共重合体等のビニル系樹脂；ポリアクリル酸メチル、ポリメタクリル酸メチル等のアクリル樹脂；ポリビニルアルコール、塩素化ポリエチレン、エポキシ樹脂、ブナラール樹脂、ゴム誘導体、フェノール・ホルムアルデヒド樹脂等の熱硬化性樹脂の初期縮合物等の合成有機高分子を挙げることができる。
【０１５７】
記録層の材料として結合剤を併用する場合、結合剤の使用量は、一般に色素の質量の０．０１倍量〜５０倍量の範囲にあり、好ましくは０．１倍量〜５倍量の範囲にある。
【０１５８】
前記溶剤塗布の塗布方法としては、スプレー法、スピンコート法、ディップ法、ロールコート法、ブレードコート法、ドクターロール法、スクリーン印刷法等を挙げることができる。記録層１８は単層でも重層でもよい。記録層１８の層厚は一般に１０〜５００ｎｍの範囲にあり、好ましくは１５〜３００ｎｍの範囲にあり、より好ましくは２０〜１５０ｎｍの範囲にある。
【０１５９】
記録層には、記録層の耐光性を向上させるために、種々の褪色防止剤を含有させることができる。褪色防止剤としては、一般的に、一重項酸素クエンチャが用いられる。一重項酸素クエンチャとしては、既に公知の特許明細書等の刊行物に記載のものを利用することができる。前記一重項酸素クエンチャ等の褪色防止剤の使用量は、通常、色素の質量の０．１〜５０質量％の範囲であり、好ましくは、０．５〜４５質量％の範囲、さらに好ましくは、３〜４０質量％の範囲、特に好ましくは５〜２５質量％の範囲である。
【０１６０】
相変化型の記録層を構成する材料の具体例としては、Ｓｂ−Ｔｅ合金、Ｇｅ−Ｓｂ−Ｔｅ合金、Ｐｄ−Ｇｅ−Ｓｂ−Ｔｅ合金、Ｎｂ−Ｇｅ−Ｓｂ−Ｔｅ合金、Ｐｄ−Ｎｂ−Ｇｅ−Ｓｂ−Ｔｅ合金、Ｐｔ−Ｇｅ−Ｓｂ−Ｔｅ合金、Ｃｏ−Ｇｅ−Ｓｂ−Ｔｅ合金、Ｉｎ−Ｓｂ−Ｔｅ合金、Ａｇ−Ｉｎ−Ｓｂ−Ｔｅ合金、Ａｇ−Ｖ−Ｉｎ−Ｓｂ−Ｔｅ合金、Ａｇ−Ｇｅ−Ｉｎ−Ｓｂ−Ｔｅ合金等が挙げられる。相変化型の記録層１８の層厚は、１０〜５０ｎｍとすることが好ましく、１５〜３０ｎｍとすることがより好ましい。相変化型の記録層は、スパッタ法、真空蒸着法等の気相薄膜堆積法等によって形成することができる。
【０１６１】
＜第１基板＞
図１に示す光記録媒体における第１基板１６は、従来の光記録媒体の基板として用いられている各種の材料から任意に選択された材料を用いて形成することができる。第１基板１６の材料としては、例えば、ガラス、ポリカーボネート、ポリメチルメタクリレート等のアクリル樹脂、ポリ塩化ビニル、塩化ビニル共重合体等の塩化ビニル系樹脂、エポキシ樹脂、アモルファスポリオレフィンおよびポリエステル等を挙げることができ、所望によりそれらを併用してもよい。なお、これらの材料はフィルム状として、または剛性のある第１基板１６として使うことができる。上記材料の中では、耐湿性、寸法安定性および価格等の点からポリカーボネートが好ましい。
第１基板１６の厚さは、０．１〜１．２ｍｍとすることが好ましく、０．２〜１．１ｍｍとすることがより好ましい。
【０１６２】
記録層１８が設けられる側の第１基板１６の表面側（プリグルーブ２８が形成された面側）には、平面性の改善、接着力の向上および記録層１８の変質防止の目的で、下塗層が設けられてもよい。
下塗層の材料としては例えば、ポリメチルメタクリレート、アクリル酸・メタクリル酸共重合体、スチレン・無水マレイン酸共重合体、ポリビニルアルコール、Ｎ−メチロールアクリルアミド、スチレン・ビニルトルエン共重合体、クロルスルホン化ポリエチレン、ニトロセルロース、ポリ塩化ビニル、塩素化ポリオレフィン、ポリエステル、ポリイミド、酢酸ビニル・塩化ビニル共重合体、エチレン・酢酸ビニル共重合体、ポリエチレン、ポリプロピレン、ポリカーボネート等の高分子物質；およびシランカップリング剤等の表面改質剤等を挙げることができる。下塗層は、上記物質を適当な溶剤に溶解または分散して塗布液を調製した後、この塗布液をスピンコート、ディップコート、エクストルージョンコート等の塗布法により、第１基板１６の表面に塗布することにより形成することができる。
下塗層の層厚は、一般に０．００５〜２０μｍの範囲にあり、好ましくは０．０１〜１０μｍの範囲である。
【０１６３】
＜第１反射層＞
図１に示すように、情報の再生時における反射率の向上の目的で、記録層１８に隣接して第１反射層２０が設けられることある。第１反射層２０の材料である光反射性物質はレーザ光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｇａ、Ｉｎ、Ｓｉ、Ｇｅ、Ｔｅ、Ｐｂ、Ｐｏ、Ｓｎ、Ｂｉ等の金属および半金属またはステンレス鋼を挙げることができる。これらの物質は単独で用いてもよいし、２種以上の組合せで、または合金として用いてもよい。第１反射層２０は、例えば、上記光反射性物質を蒸着、スパッタリングまたはイオンプレーティングすることにより第１基板１６または記録層１８の上に形成することができる。第１反射層２０の層厚は、一般的には１０〜３００ｎｍの範囲にあり、５０〜２００ｎｍの範囲にあることが好ましい。
【０１６４】
＜接着層＞
図１に示すように、第１反射層２０と第２基板２６との密着性を向上させるために、接着層２２を形成することができる。
接着層２２を構成する材料としては、光硬化性樹脂が好ましく、中でもディスクの反りを防止するため、硬化収縮率の小さいものが好ましい。このような光硬化性樹脂としては、例えば、大日本インキ化学工業株式会社製の「ＳＤ−６４０」、「ＳＤ−３４７」等のＵＶ硬化性樹脂（ＵＶ硬化性接着剤）を挙げることができる。また、接着層２２の厚さは、弾力性を持たせるため、１〜１０００μｍの範囲とすることが好ましく、５〜５００μｍの範囲とすることがより好ましく、１０〜１００μｍの範囲とすることが特に好ましい。
【０１６５】
＜第２基板＞
図１に示すように、可視情報記録層１４の保護のために、第２基板２６（保護基板）を設けることもできる。第２基板２６は、上述の第１基板１６と同様の材質を用いて形成することができる。
【０１６６】
＜保護層＞
第１反射層２０や記録層１８等を物理的および化学的に保護する目的で保護層を設けられることがある。なお、ＤＶＤ−Ｒ型の光記録媒体の製造の場合と同様の形態、すなわち２枚の基板（一方が第２基板２６の場合を含む）を記録層１８を内側にして貼り合わせる構成をとる場合は、必ずしも保護層の形成は必要ではない。
保護層に用いられる材料の例としては、ＺｎＳ、ＺｎＳ−ＳｉＯ2、ＳｉＯ、ＳｉＯ2、ＭｇＦ2、ＳｎＯ2、Ｓｉ3Ｎ4等の無機物質、熱可塑性樹脂、熱硬化性樹脂、ＵＶ硬化性樹脂等の有機物質を挙げることができる。
また、熱可塑性樹脂、熱硬化性樹脂を使用する場合には、これらを適当な溶剤に溶解して塗布液を調製した後、この塗布液を塗布し、乾燥することによっても形成することができる。ＵＶ硬化性樹脂の場合には、そのまま、または適当な溶剤に溶解して塗布液を調製した後、この塗布液を塗布し、ＵＶ光を照射して硬化させることによっても形成することができる。これらの塗布液中には、さらに帯電防止剤、酸化防止剤、ＵＶ吸収剤等の各種添加剤を目的に応じて添加してもよい。保護層の層厚は、一般には０．１μｍ〜１ｍｍの範囲にある。
また、本発明の光記録媒体は、レーザー光により再生可能な情報が記録された記録部（ピット）を有する、いわゆる再生専用型の光情報記録媒体として適用することもできる。
【０１６７】
[可視情報記録方法]
本発明の第一の可視情報記録方法（以下、「記録方法Ｉ」ともいう）は、本発明の光記録媒体の前記可視情報記録層への可視情報記録方法であって、前記可視情報を、前記記録層への情報の記録に用いるレーザー光と同じレーザー光を用いて記録するものである。
本発明の第二の可視情報記録方法（以下、「記録方法ＩＩ」ともいう）は、ディスク状の本発明の光記録媒体への前記可視情報記録層への可視情報記録方法であって、前記可視情報を、前記光記録媒体の半径方向に遥動し且つ略同一の軌跡に複数回照射されるレーザー光を用いて記録するものである。なお、方法ＩＩにおいても、方法Ｉと同様に記録層への情報の記録に用いるレーザー光と同じレーザー光を用いて可視情報を記録することが好ましい。
以下、記録方法Ｉ、ＩＩをあわせて本発明の記録方法と呼ぶこともある。
【０１６８】
記録方法Ｉによれば、記録層への情報の記録に用いるレーザー光（図１中のレーザー光１２）と同じレーザー光（図１中のレーザー光１２）を用いて、可視情報を記録することができるため、１つの記録装置においてレーザー光源を共有することができ、記録装置のハードウエア資源を必要最小限に抑えることができるとともに、一般ユーザーがこれらの装置を用いて簡単に画像を記録することができる。更に、本発明の光記録媒体は、可視情報記録層に前記色素を含むため、コントラストが高く視認性に優れた画像を形成できるという利点もある。本発明の光記録媒体の可視情報記録層への画像等の可視情報の記録は、本発明の可視情報記録方法によって行うことが最も好ましいが、これに制限されるものではない。
【０１６９】
本発明の記録方法において、可視情報記録層への画像等の可視情報の記録、および記録層への光情報の記録は、両層への記録機能を有する１つの光ディスクドライブ（記録装置）を用いて行うことができる。このように１つの光ディスクドライブを使用する場合、可視情報記録層および記録層のいずれか一方の層への記録を行った後、裏返して他方の層に記録を行うことができる。可視情報記録層への可視情報の記録をする機能を有する光ディスクドライブとしては、例えば、特開２００３−２０３３４８号公報、特開２００３−２４２７５０号公報等に記載されている光ディスクドライブを用いることができる。
【０１７０】
また、可視情報記録層への可視情報の記録に際し、記録装置は、前記光記録媒体とレーザーピックアップとを、光記録媒体の面に沿って相対移動させ、該相対移動に同期してレーザー光を、画像形成しようとする文字、絵等の画像データに応じて変調して可視情報記録層に向けて照射して可視画像を記録することができる。このような構成は、例えば、特開２００２−２０３３２１号公報等に記載されている。
【０１７１】
通常のデジタルデータ記録では、略楕円形状の軌跡でレーザー光を１回照射することが通常である。一般に、色素記録層にピットを形成する際はドライブで認識するのに十分な反射率および変調度が得られるピットを形成することが重要視されるため、色素記録層用色素としては、上記の１回のレーザー光照射により十分な反射率および変調度が得られる色素が選択される。
それに対し、近年、新たな画像形成方法として、上記特開２００２−２０３３２１号公報等に記載のシステムが提案された。このシステムでは、レーザー光を略同一の軌跡に複数回照射することにより、色素を含む可視情報記録層に画像等の可視情報を記録する。また、通常の光ディスクでは半径方向でピットを形成する位置は特定されているため、レーザー光が光ディスクの半径方向に遥動することはあり得ないのに対し、上記システムでは、レーザー光が光ディスクの半径方向に遥動し且つ略同一の軌跡に複数回照射されることにより、可視情報が形成される。本発明において使用される色素は、いずれも上記システムに好適であり、前述の記録方式によりコントラストが高く鮮明で、かつ耐光性に優れた可視情報を形成できるものである。
【０１７２】
以下に、上記画像形成方法の詳細を、図２および３を参照し説明する。
図２は、画像形成のために照射されるレーザー光の軌跡を示す。
まず、レーザー光源を、図２に示すように、光ディスクの内周側で最初の画像形成箇所がある半径位置に位置決めし、次いで、周方向位置θを検出し、該半径位置について画像データにより指示される周方向の各画像形成位置でレーザパワーを所定の高出力（可視情報記録層の可視光特性が変化する値で、例えば１ｍＷ以上の値）に切り換える。これにより、該高出力のレーザー光が照射された箇所で可視情報記録層の可視光特性が変化（変色等）して、画像形成が行われる。
その後、光ディスクが１回転して周方向の基準位置に戻ったら、送りモータ等によりレーザー光源を所定ピッチΔｒ分外周方向へ移送し、その半径位置について画像データにより指示される周方向の各画像形成位置でレーザパワーを所定の高出力に切り換えて画像形成を行う。以後、この動作を繰り返して、１周ごとに所定ピッチΔｒで順次外周方向に移動して画像形成を行う。図２は、この画像形成動作による光ディスク表面（可視情報記録層側の面、以下において「レーベル面」ともいう）上でのレーザー光の軌跡を示す。太線で描いた部分でレーザパワーが高出力に切り換えられて画像形成が行われる。この太線で描いた部分でのレーザー光の軌跡の拡大図が図３である。図３に示すように、レーザー光を、光ディスクの半径方向に遥動させ且つ略同一の軌跡に複数回照射することにより画像が形成される。ここでのレーザー光の遥動幅および略同一の軌跡におけるレーザー光の照射回数は、記録装置ごとに設定されているものである。
【０１７３】
前記画像形成方法では、画像形成箇所がない半径位置については走査せずに、次の画像形成箇所がある半径位置まで一度に移動して画像形成を行う。ピッチΔｒが大きいと、本来は径方向につながって形成されるべき画像であっても、すき間が生じて画像形成されてしまう。ピッチΔｒを小さくすればすき間を目立たなくすることができるが、レーベル面全体を画像形成するのに要する周回数が増え、画像形成に時間がかかってしまう。特開２００２−２０３３２１号公報に記載の装置では、画像形成時に振動信号発生回路から発生される振動信号（正弦波、三角波等）でトラッキングアクチュエータを駆動して、対物レンズをディスク径方向に振動させるようにしている。これにより、レーザー光がディスク径方向に振動して、ピッチΔｒが比較的大きくてもすき間のない（または、すき間が小さい）画像形成を行うことができる。振動信号の周波数は、例えば数ｋＨｚ程度に設定することができる。また、ピッチΔｒは、例えば５０〜１００μｍ程度に設定することができる。
以上の画像形成方法の詳細については、特開２００２−２０３３２１号公報を参照することができる。
【０１７４】
記録層に光情報を記録する記録装置は、レーザー光を射出するレーザーピックアップと、光記録媒体を回転させる回転機構とを少なくとも有し、記録層への記録再生を、回転させた状態の光記録媒体の記録層に向けてレーザーピックアップからレーザー光を照射して行うことができる。このような記録装置の構成自体は周知である。
【０１７５】
次いで、記録層への情報（デジタル情報）の記録について説明する。記録層が色素型の場合、まず、未記録の前述の光記録媒体を所定の記録線速度にて回転させながら、レーザーピックアップからレーザー光を照射する。この照射光により、記録層の色素がその光を吸収して局所的に温度上昇し、所望の空隙（ピット）が生成してその光学特性が変わることにより情報が記録される。
【０１７６】
レーザー光の記録波形は、１つのピットの形成する際には、パルス列でも１パルスでもかまわない。実際に記録しようとする長さ（ピットの長さ）に対する割合が重要である。
レーザー光のパルス幅としては、実際に記録しようとする長さに対して２０〜９５％の範囲が好ましく、３０〜９０％の範囲がより好ましく、３５〜８５％の範囲が更に好ましい。ここで、記録波形がパルス列の場合には、その和が上記の範囲にあることを指す。
【０１７７】
レーザー光のパワーとしては、記録線速度によって異なるが、記録線速度が３．５ｍ／ｓの場合、１〜１００ｍＷの範囲が好ましく、３〜５０ｍＷの範囲がより好ましく、５〜２０ｍＷの範囲が更に好ましい。また、記録線速度が２倍になった場合には、レーザー光のパワーの好ましい範囲は、それぞれ２1/2倍となる。また、記録密度を高めるために、ピックアップに使用される対物レンズのＮＡは０．５５以上が好ましく、０．６０以上がより好ましい。  本発明においては、記録光として３５０〜８５０ｎｍの範囲の発振波長を有する半導体レーザーを用いることができる。
【０１７８】
次に、記録層が相変化型の場合について説明する。相変化型の場合は、前述の材質から構成され、レーザー光の照射によって結晶相と非晶相との相変化を繰り返すことができる。情報記録時は、集中したレーザー光パルスを短時間照射し、相変化記録層を部分的に溶融する。溶融した部分は熱拡散により急冷され、固化し、非晶状態の記録マークが形成される。また、消去時には、記録マーク部分にレーザー光を照射し、記録層の融点以下、結晶化温度以上の温度に加熱し、かつ除冷することによって、非晶状態の記録マークを結晶化し、もとの未記録状態に戻す。
【実施例】
【０１７９】
以下に、実施例により本発明を更に説明する。但し、本発明は実施例に示す態様に限定されるものではない。
【０１８０】
（例１）
例１の光情報記録媒体は、図１に示す層構成を有する、２枚のディスクを貼り合わせてなるＤＶＤ−Ｒ型の光記録媒体である。以下に、例１の光記録媒体の作製方法を説明する。
【０１８１】
射出成形にて、ポリカーボネート樹脂から、スパイラル状（螺旋状）のグルーブ（深さ：１３０ｎｍ、幅３００ｎｍ、トラックピッチ：０．７４μｍ）を有する厚さ０．６ｍｍ、直径１２０ｍｍの第１基板１６を成形した。
その後、下記の２種のオキソノール色素各１．５ｇを、２，２，３，３−テトラフルオロ−１−プロパノール１００ｍｌに溶解して塗布液を調製し、この塗布液をスピンコート法により第１基板１６のプリグルーブ２８が形成された面上に塗布し、層厚８０μｍの記録層１８を形成した。
【化５７】
2007283748.tif 000065
【０１８２】
次に、記録層１８上に銀をスパッタして膜厚１２０ｎｍの第１反射層２０を形成した後、紫外線硬化樹脂（ＳＤ３１８（大日本インキ化学工業株式会社製）をスピンコート法により塗布した後、紫外線を照射して硬化し、層厚１０μｍの第１保護層を形成した。以上の工程により、第１ディスクを作製した。
【０１８３】
次に、可視情報記録層１４を形成するため、例示化合物Ｄ１−１  １．０ｇを、２，２，３，３−テトラフルオロ−１−プロパノール１００ｍｌに溶解した可視情報記録層用塗布液を調製した。該可視情報記録層用塗布液を厚さ０．６ｍｍ、直径１２０ｍｍの第２基板２６上にスピンコートにて層厚１００μｍの可視情報記録層14を形成した。
【０１８４】
次に、可視情報記録層１４上に銀をスパッタして膜厚７０ｎｍの第２反射層２４を形成した後、紫外線硬化樹脂（ＳＤ３１８（大日本インキ化学工業株式会社製）をスピンコート法により塗布した後、紫外線を照射して硬化し、層厚１０μｍの第２保護層を形成した。以上の工程により、第２ディスクを作製した。
【０１８５】
次いで、第１ディスクと第２ディスクとを貼り合せて、１枚のディスクとして完成させるため、次のような工程を経た。まず、第１ディスクの第１保護層上及び第２ディスクの第２保護層上にそれぞれ遅効性カチオン重合型接着剤（ソニーケミカル株式会社社製、ＳＤＫ７０００）をスクリーン印刷によって印刷した。このとき、スクリーン印刷の印刷版のメッシュサイズは３００メッシュのものを使用した。次に、メタルハライドランプを使用して紫外線照射した直後、第１ディスクと第２ディスクとをそれぞれの保護層側から貼り合わせ、両面から押圧し５分間放置し、例１の光記録媒体を作製した。
【０１８６】
（例２〜２０）
可視情報記録層に使用する色素を、下記化合物にそれぞれ変更した以外は例１と同様に、光記録媒体を作製した。なお、例１〜２０の光記録媒体では、光−熱変換により画像を得るために可視情報記録層にシアン色素を含有させた。以下に構造を示す色素（２）はシアン色素であり、色素（２）と併用した例示化合物は非シアン色素、併用しなかった色素はシアン色素である。
【表３】
2007283748.tif 000066
【化５８】
2007283748.tif 000067
【０１８７】
（コントラスト評価）
作製した例１〜２０の光記録媒体について、下記のように記録を行った。
特開２００２−２０３３２１号公報に記載の、レーザー光を射出するレーザーピックアップと光記録媒体を回転させる回転機構とを有する記録装置（レーザーは、波長６６０ｎｍの半導体レーザーとした）を用い、光記録媒体とレーザーピックアップとを光記録媒体の面に沿って相対移動させながら、相対移動に同期させて半導体レーザー光を所望の画像データに応じて変調し、線速度３．５ｍ／ｓ、記録パワー８ｍＷの条件にてフォーカスをかけた状態で可視情報記録層１４に照射して可視画像を記録した。このとき、レーザ光は光ディスクの半径方向に遥動し且つ略同一の軌跡に複数回照射されて可視情報が記録された。また、この光記録媒体を回転機構で回転させた状態にし、記録層１８にレーザーピックアップからレーザー光を照射することにより電子情報の記録を行うことができる。
上記のようにして可視画像が記録された各光記録媒体について、可視情報記録層のレーザー照射部とレーザー未照射部の絶対反射率を測定し、以下の式で表されるＳｖを求め、下記の評価基準にしたがってコントラストを評価した。
【０１８８】
【数１】
2007283748.tif 000068
D(λ)：レーザー照射部の分光反射率[%]
U(λ)：レーザー未照射部の分光反射率[%]
V(λ)：CIE標準分光視感効率
【０１８９】
【表４】
2007283748.tif 000069
2007283748.tif 000070
＜評価基準＞
５（コントラスト優良）    ：  ０．２５以上
４（コントラスト良好）    ：  ０．２５未満〜０．２０以上
３（コントラスト実用十分）：  ０．２０未満〜０．１５以上
２（コントラスト不十分）  ：  ０．１５未満〜０．１０以上
１（コントラスト不良）    ：  ０．１０未満
【０１９０】
【表５】
2007283748.tif 000071
【０１９１】
表５に示すように、すべての光記録媒体において、可視情報記録層のコントラストはきわめて良好であり鮮明な画像記録を行うことができた。
【図面の簡単な説明】
【０１９２】
【図１】本発明の光記録媒体の一例（概略断面図）を示す。
【図２】画像形成時の光ディスク表面上でのレーザー光の軌跡を示す。
【図３】図２中の太線で描いた部分でのレーザー光の軌跡の拡大図である。
【符号の説明】
【０１９３】
１０…光記録媒体                        １２…レーザー光
１４…可視情報記録層                    １６…第１基板
１８…記録層                            ２０…第１反射層
２２…接着層                            ２４…第２反射層
２６…第２基板                          ２８…プリグルーブ
【図１】
2007283748.tif 000084
【図２】
2007283748.tif 000085
【図３】
2007283748.tif 000086